(57)【要約】【課題】所望の見出語に含まれる文字又は単語と、その文字又は単語の見出語中の位置とを条件に指定することで、当該条件を具備した見出語を適切に表示させることのできる、使い勝手の良い情報表示制御装置等を実現すること。【解決手段】電子辞書は、ユーザにより漢字とその漢字の見出語中での文字位置を示す文字目とが指定されることで、当該漢字を当該文字目に含む見出語を特定し、その一覧を文字目が１文字目（反転表示Ｍ１３）の場合にはＫ１３（図１０（ａ））、２文字目（反転表示Ｍ１５）の場合にはＫ１５（図１０（ｂ））、３文字目（反転表示Ｍ１７）の場合にはＫ１７（図１０（ｃ））として分類表示する。【選択図】図１０
2006099677.tif 000002
【特許請求の範囲】
【請求項１】
複数の見出語と当該各見出語の説明情報とがそれぞれ対応づけられた辞書情報を記憶する記憶手段と、
ユーザ操作に従って検索対象文字を指定する文字指定手段と、
見出語中の前記検索対象文字の文字位置を指定する位置指定手段と、
前記文字指定手段により指定された検索対象文字を前記位置指定手段により指定された文字位置に含む見出語を、前記記憶手段に記憶された辞書情報の中から読み出して表示する制御を行う表示制御手段と、
を備えることを特徴とする情報表示制御装置。
【請求項２】
前記記憶手段は複数種類の辞書情報を記憶する手段であり、
前記表示制御手段は、前記文字指定手段により指定された検索対象文字を前記位置指定手段により指定された文字位置に含む見出語を、前記記憶手段に記憶された各辞書情報の中から読み出して、当該見出語を記憶する辞書情報が何れの辞書情報であるかを視認可能に表示する制御を行う表示制御手段と、
を備えることを特徴とする請求項１に記載の情報表示制御装置。
【請求項３】
前記複数種類の辞書情報の中から説明情報の表示対象とする辞書情報を選択する辞書選択手段と、
この辞書選択手段により選択された辞書情報に記憶されている見出語の中から、対応する説明情報を表示させる見出語を選択する見出語選択手段と、
この見出語選択手段により選択された見出語に対応する説明情報を前記辞書選択手段により選択された辞書情報の中から読み出して表示する制御を行う説明情報表示制御手段と、
を更に備え、
前記文字指定手段は、前記説明情報表示制御手段により表示制御された説明情報の中から前記検索対象文字を指定する表示情報中指定手段を有する、
ことを特徴とする請求項２に記載の情報表示制御装置。
【請求項４】
一定の意味内容を有する複数の単語でなる一連単語を複数記憶する記憶手段と、
ユーザ操作に従って検索対象単語を指定する単語指定手段と、
一連単語中の前記検索対象単語の位置を指定する位置指定手段と、
前記単語指定手段により指定された検索対象単語を前記位置指定手段により指定された位置に含む一連単語を、前記記憶手段から読み出して表示する制御を行う表示制御手段と、
を備えることを特徴とする情報表示制御装置。
【請求項５】
上下左右それぞれの方向を指示する方向指示手段と、
前記表示制御手段により見出語が表示されている状態において、前記方向指示手段による方向指示に従って前記位置指定手段により指定された文字位置を変化させ、変化させた文字位置に前記検索対象文字を含む見出語を前記辞書情報の中から読み出して切替表示する制御を行う切替表示制御手段と、
を更に備えることを特徴とする請求項１に記載の情報表示制御装置。
【請求項６】
上下左右それぞれの方向を指示する方向指示手段と、
前記表示制御手段により一連単語が表示されている状態において、前記方向指示手段による方向指示に従って前記位置指定手段により指定された位置を変化させ、変化させた位置に前記検索対象単語を含む一連単語を前記記憶手段から読み出して切替表示する制御を行う切替表示制御手段と、
を更に備えることを特徴とする請求項４に記載の情報表示制御装置。
【請求項７】
前記表示制御手段は、前記各辞書情報の中から読み出した見出語を、当該見出語を記憶する辞書情報別に一覧表示する制御を行う辞書別表示制御手段を有することを特徴とする請求項２に記載の情報表示制御装置。
【請求項８】
前記記憶手段は、前記一連単語を複数記憶する辞書情報を複数種類記憶する手段であり、
前記表示制御手段は、前記単語指定手段により指定された検索対象単語を前記位置指定手段により指定された位置に含む一連単語を、前記記憶手段に記憶された複数の辞書情報の中から読み出し、読み出した一連単語を、当該一連単語を記憶する辞書情報別に一覧表示する制御を行う辞書別表示制御手段を有することを特徴とする請求項４に記載の情報表示制御装置。
【請求項９】
前記表示制御手段は、見出語を構成する文字数の昇順又は降順に一覧表示する制御を行う文字数順表示制御手段を有することを特徴とする請求項１に記載の情報表示制御装置。
【請求項１０】
各文字について、当該文字を含む見出語を記憶する辞書情報を識別する辞書識別情報と、当該辞書情報中の当該見出語の記憶位置と、当該見出語中の当該文字の文字位置とを対応づけて記憶する見出語情報記憶手段を更に備え、
前記表示制御手段は、
前記文字指定手段により指定された検索対象文字及び前記位置指定手段により指定された文字位置に対応づけて記憶されている辞書識別情報及び記憶位置を前記見出語情報記憶手段から検索する検索手段と、
この検索手段により検索された辞書識別情報に対応する辞書情報中の前記検索された記憶位置に記憶されている見出語を読み出して表示する読出表示制御手段と、
を有することを特徴とする請求項２に記載の情報表示制御装置。
【請求項１１】
所定の通信回線を介して利用者端末と接続されるサーバにおいて、
複数の見出語と当該各見出語の説明情報とがそれぞれ対応づけられた辞書情報を記憶する記憶手段と、
検索対象文字を前記利用者端末から受信する文字受信手段と、
見出語中の前記検索対象文字の文字位置を前記利用者端末から受信する位置受信手段と、
前記文字受信手段により受信した検索対象文字を前記位置受信手段により受信した文字位置に含む見出語を、前記記憶手段に記憶された辞書情報の中から読み出して表示させる制御信号を前記利用者端末に送信する表示制御信号送信手段と、
を備えることを特徴とするサーバ。
【請求項１２】
所定の通信回線を介して利用者端末と接続されるサーバにおいて、
一定の意味内容を有する複数の単語でなる一連単語を複数記憶する記憶手段と、
検索対象単語を前記利用者端末から受信する単語受信手段と、
一連単語中の前記検索対象単語の位置を前記利用者端末から受信する位置受信手段と、
前記単語受信手段により受信した検索対象単語を前記位置受信手段により受信した位置に含む一連単語を、前記記憶手段から読み出して表示させる制御信号を前記利用者端末に送信する表示制御信号送信手段と、
を備えることを特徴とするサーバ。
【請求項１３】
コンピュータに、
複数の見出語と当該各見出語の説明情報とがそれぞれ対応づけられた辞書情報を記憶する記憶機能と、
ユーザ操作に従って検索対象文字を指定する文字指定機能と、
見出語中の前記検索対象文字の文字位置を指定する位置指定機能と、
前記文字指定機能により指定された検索対象文字を前記位置指定機能により指定された文字位置に含む見出語を、前記記憶機能に記憶された辞書情報の中から読み出して表示する制御を行う表示制御機能と、
を実現させるためのプログラム。
【請求項１４】
コンピュータに、
一定の意味内容を有する複数の単語でなる一連単語を複数記憶する記憶機能と、
ユーザ操作に従って検索対象単語を指定する単語指定機能と、
一連単語中の前記検索対象単語の位置を指定する位置指定機能と、
前記単語指定機能により指定された検索対象単語を前記位置指定機能により指定された位置に含む一連単語を、前記記憶機能から読み出して表示する制御を行う表示制御機能と、
を実現させるためのプログラム。
【請求項１５】
所定の通信回線を介して利用者端末と接続されるコンピュータに、
複数の見出語と当該各見出語の説明情報とがそれぞれ対応づけられた辞書情報を記憶する記憶機能と、
検索対象文字を前記利用者端末から受信する文字受信機能と、
見出語中の前記検索対象文字の文字位置を前記利用者端末から受信する位置受信機能と、
前記文字受信機能により受信した検索対象文字を前記位置受信機能により受信した文字位置に含む見出語を、前記記憶機能に記憶された辞書情報の中から読み出して表示させる制御信号を前記利用者端末に送信する表示制御信号送信機能と、
を実現させるためのプログラム。
【請求項１６】
所定の通信回線を介して利用者端末と接続されるコンピュータに、
一定の意味内容を有する複数の単語でなる一連単語を複数記憶する記憶機能と、
検索対象単語を前記利用者端末から受信する単語受信機能と、
一連単語中の前記検索対象単語の位置を前記利用者端末から受信する位置受信機能と、
前記単語受信機能により受信した検索対象単語を前記位置受信機能により受信した位置に含む一連単語を、前記記憶機能から読み出して表示させる制御信号を前記利用者端末に送信する表示制御信号送信機能と、
を実現させるためのプログラム。
【発明の詳細な説明】
【技術分野】
【０００１】
本発明は、情報表示制御装置、サーバ及びプログラムに関する。
【背景技術】
【０００２】
従来より、国語辞典、漢和辞典、英和辞典等の種々の辞書データベース（以下、データベースを「ＤＢ」と呼ぶ。）が内蔵された情報表示制御装置の一種として、電子辞書装置（以下、「電子辞書」と呼ぶ。）が知られている。辞書ＤＢとは、見出語と当該見出語を説明解説等する説明情報とが対応付けられた情報を集合した集合情報を、コンピュータを用いて検索処理することができるように体系的に構成したものである。
【０００３】
この電子辞書では、ユーザが文字を入力することで（以下、入力した文字を「入力文字列」と呼ぶ。）、入力文字列で始まる見出語が随時検索されて一覧表示される。更に、一覧表示された見出語の中からユーザが所望の見出語を選択することで、選択した見出語の説明情報が辞書ＤＢから読み出されて表示される。
【０００４】
また、この電子辞書には種々の便利な機能が備えられており、その１つにジャンプ機能と呼ばれる機能が存在する。ジャンプ機能（以下、適宜「ジャンプ」と称する。）とは、見出語に対する説明情報が表示された際に、その説明情報中の一部の文字列を指定して、当該指定した文字列を検索語として再度検索を行う機能のことである。
【０００５】
このジャンプ機能を備えた電子辞書の中には、ユーザが予めジャンプ先の辞書を設定しておくことで常に同じ辞書にジャンプすることや、ジャンプ先の辞書をその都度選択し、毎回異なる辞書にジャンプすることを可能にしたものが存在する（例えば、特許文献１。）。これら電子辞書に備えられた各種機能を利用することにより、ユーザは所望の見出語を迅速且つ効率的に探し出すことができる。
【特許文献１】特開２００１−１３４５８５号公報
【発明の開示】
【発明が解決しようとする課題】
【０００６】
しかし、特許文献１を含む従来の電子辞書では、これらの各種機能を利用しても検索に非常に手間取る場合がある。その一例としては、１文字目の漢字が不明である四字熟語を検索する場合が挙げられる。この場合、ユーザは２文字目の漢字を漢和辞典等で辞書引きし、表示される説明情報中に所望の四字熟語が見つからなければ、３文字目又は４文字目の漢字を用いて同様の手順を繰り返すことになる。
【０００７】
この問題は、２文字目や３文字目の漢字が不明である四字熟語を検索する場合も同様である。また、複数の単語からなる連語等の一連単語のうち、特定の単語目の単語が不明である場合にも同様である。
【０００８】
本発明は、このような課題に鑑みて為されたものであり、その目的とするところは、所望の見出語に含まれる文字又は単語と、その文字又は単語の見出語中の位置とを条件に指定することで、当該条件を具備した見出語を適切に表示させることのできる、使い勝手の良い情報表示制御装置等を実現することである。
【課題を解決するための手段】
【０００９】
以上の課題を解決するために、請求項１に記載の情報表示制御装置は、
複数の見出語と当該各見出語の説明情報とがそれぞれ対応づけられた辞書情報を記憶する記憶手段（例えば、図２のフラッシュＲＯＭ５０；図３の漢和辞典ＤＢ５１３ａ）と、
ユーザ操作に従って検索対象文字を指定する文字指定手段（例えば、図２の入力部３０；図１９のステップＤ１１）と、
見出語中の前記検索対象文字の文字位置を指定する位置指定手段（例えば、図２の入力部３０；図１９のステップＤ２５）と、
前記文字指定手段により指定された検索対象文字を前記位置指定手段により指定された文字位置に含む見出語を、前記記憶手段に記憶された辞書情報の中から読み出して表示する制御を行う表示制御手段（例えば、図２のＣＰＵ２０；図２０のステップＥ３、Ｅ１１、Ｅ１９、Ｅ２７）と、
を備えることを特徴としている。
【００１０】
請求項２に記載の発明は、請求項１に記載の情報表示制御装置であって、
前記記憶手段は複数種類の辞書情報を記憶する手段（例えば、図２のフラッシュＲＯＭ５０；図３の辞書ＤＢ５１３）であり、
前記表示制御手段は、前記文字指定手段により指定された検索対象文字を前記位置指定手段により指定された文字位置に含む見出語を、前記記憶手段に記憶された各辞書情報の中から読み出して、当該見出語を記憶する辞書情報が何れの辞書情報であるかを視認可能に表示する制御を行う表示制御手段（例えば、図２のＣＰＵ２０；図７のステップＡ１９、Ａ３７）と、
を備えることを特徴としている。
【００１１】
請求項３に記載の発明は、請求項２に記載の情報表示制御装置であって、
前記複数種類の辞書情報の中から説明情報の表示対象とする辞書情報を選択する辞書選択手段（例えば、図２の入力部３０；図１５のステップＣ１）と、
この辞書選択手段により選択された辞書情報に記憶されている見出語の中から、対応する説明情報を表示させる見出語を選択する見出語選択手段（例えば、図２の入力部３０；図１５のステップＣ３）と、
この見出語選択手段により選択された見出語に対応する説明情報を前記辞書選択手段により選択された辞書情報の中から読み出して表示する制御を行う説明情報表示制御手段（例えば、図２のＣＰＵ２０；図１５のステップＣ５）と、
を更に備え、
前記文字指定手段は、前記説明情報表示制御手段により表示制御された説明情報の中から前記検索対象文字を指定する表示情報中指定手段（例えば、図２の入力部３０；図１５のステップＣ９）を有する、
ことを特徴としている。
【００１２】
請求項４に記載の情報表示制御装置は、
一定の意味内容を有する複数の単語でなる一連単語を複数記憶する記憶手段（例えば、図２のフラッシュＲＯＭ５０；図２３の英和Ａ辞典用成句ＤＢ５７３１ａ）と、
ユーザ操作に従って検索対象単語を指定する単語指定手段（例えば、図２の入力部３０；図２６のステップＦ１、図３０のステップＧ３）と、
一連単語中の前記検索対象単語の位置を指定する位置指定手段（例えば、図２の入力部３０；図２６のステップＦ１３、Ｆ２５、図３０のステップＧ５）と、
前記単語指定手段により指定された検索対象単語を前記位置指定手段により指定された位置に含む一連単語を、前記記憶手段から読み出して表示する制御を行う表示制御手段（例えば、図２のＣＰＵ２０；図２６のステップＦ７、Ｆ１９、図３０のステップＧ９）と、
を備えることを特徴としている。
【００１３】
請求項５に記載の発明は、請求項１に記載の情報表示制御装置であって、
上下左右それぞれの方向を指示する方向指示手段（例えば、図２の入力部３０；図１（ｂ）の方向キー１１）と、
前記表示制御手段により見出語が表示されている状態において、前記方向指示手段による方向指示に従って前記位置指定手段により指定された文字位置を変化させ、変化させた文字位置に前記検索対象文字を含む見出語を前記辞書情報の中から読み出して切替表示する制御を行う切替表示制御手段（例えば、図２のＣＰＵ２０；図７のステップＡ１９→Ａ２９〜Ａ３３→Ａ１９、Ａ３７→Ａ４３〜Ａ４７→Ａ１９）と、
を更に備えることを特徴としている。
【００１４】
請求項６に記載の発明は、請求項４に記載の情報表示制御装置であって、
上下左右それぞれの方向を指示する方向指示手段（例えば、図２の入力部３０；図１（ｂ）の方向キー１１）と、
前記表示制御手段により一連単語が表示されている状態において、前記方向指示手段による方向指示に従って前記位置指定手段により指定された位置を変化させ、変化させた位置に前記検索対象単語を含む一連単語を前記記憶手段から読み出して切替表示する制御を行う切替表示制御手段（例えば、図２のＣＰＵ２０；図２６のステップＦ７→Ｆ１３〜Ｆ１７→Ｆ７、Ｆ１９→Ｆ２５〜Ｆ２９→Ｆ７）と、
を更に備えることを特徴としている。
【００１５】
請求項７に記載の発明は、請求項２に記載の情報表示制御装置であって、
前記表示制御手段は、前記各辞書情報の中から読み出した見出語を、当該見出語を記憶する辞書情報別に一覧表示する制御を行う辞書別表示制御手段（例えば、図２のＣＰＵ２０；図２０のステップＥ３、Ｅ１１、Ｅ１９、Ｅ２７）を有することを特徴としている。
【００１６】
請求項８に記載の発明は、請求項４に記載の情報表示制御装置であって、
前記記憶手段は、前記一連単語を複数記憶する辞書情報を複数種類記憶する手段（例えば、図２のフラッシュＲＯＭ５０；図２８の辞書ＤＢ５７３）であり、
前記表示制御手段は、前記単語指定手段により指定された検索対象単語を前記位置指定手段により指定された位置に含む一連単語を、前記記憶手段に記憶された複数の辞書情報の中から読み出し、読み出した一連単語を、当該一連単語を記憶する辞書情報別に一覧表示する制御を行う辞書別表示制御手段（例えば、図２のＣＰＵ２０；図３０のステップＧ９）を有することを特徴としている。
【００１７】
請求項９に記載の発明は、請求項１に記載の情報表示制御装置であって、
前記表示制御手段は、見出語を構成する文字数の昇順又は降順に一覧表示する制御を行う文字数順表示制御手段（例えば、図２のＣＰＵ２０；図７のステップＡ２７〜Ａ１９）を有することを特徴としている。
【００１８】
請求項１０に記載の発明は、請求項２に記載の情報表示制御装置であって、
各文字について、当該文字を含む見出語を記憶する辞書情報を識別する辞書識別情報と、当該辞書情報中の当該見出語の記憶位置と、当該見出語中の当該文字の文字位置とを対応づけて記憶する見出語情報記憶手段（例えば、図２のフラッシュＲＯＭ５０；図３の見出語データテーブル５１５）を更に備え、
前記表示制御手段は、
前記文字指定手段により指定された検索対象文字及び前記位置指定手段により指定された文字位置に対応づけて記憶されている辞書識別情報及び記憶位置を前記見出語情報記憶手段から検索する検索手段（例えば、図２のＣＰＵ２０；図７のステップＡ１５、Ａ１７）と、
この検索手段により検索された辞書識別情報に対応する辞書情報中の前記検索された記憶位置に記憶されている見出語を読み出して表示する読出表示制御手段（例えば、図２のＣＰＵ２０；図７のステップＡ１９）と、
を有することを特徴としている。
【００１９】
請求項１１に記載のサーバは、
所定の通信回線を介して利用者端末と接続されるサーバにおいて、
複数の見出語と当該各見出語の説明情報とがそれぞれ対応づけられた辞書情報を記憶する記憶手段（例えば、図３３のＲＯＭ７１０）と、
検索対象文字を前記利用者端末から受信する文字受信手段（例えば、図３３の通信装置７０８）と、
見出語中の前記検索対象文字の文字位置を前記利用者端末から受信する位置受信手段（例えば、図３３の通信装置７０８）と、
前記文字受信手段により受信した検索対象文字を前記位置受信手段により受信した文字位置に含む見出語を、前記記憶手段に記憶された辞書情報の中から読み出して表示させる制御信号を前記利用者端末に送信する表示制御信号送信手段（例えば、図３３のＣＰＵ７０２、通信装置７０８）と、
を備えることを特徴としている。
【００２０】
請求項１２に記載のサーバは、
所定の通信回線を介して利用者端末と接続されるサーバにおいて、
一定の意味内容を有する複数の単語でなる一連単語を複数記憶する記憶手段（例えば、図３３のＲＯＭ７１０）と、
検索対象単語を前記利用者端末から受信する単語受信手段（例えば、図３３の通信装置７０８）と、
一連単語中の前記検索対象単語の位置を前記利用者端末から受信する位置受信手段（例えば、図３３の通信装置７０８）と、
前記単語受信手段により受信した検索対象単語を前記位置受信手段により受信した位置に含む一連単語を、前記記憶手段から読み出して表示させる制御信号を前記利用者端末に送信する表示制御信号送信手段（例えば、図３３のＣＰＵ７０２、通信装置７０８）と、
を備えることを特徴としている。
【００２１】
請求項１３に記載のプログラムは、
コンピュータに、
複数の見出語と当該各見出語の説明情報とがそれぞれ対応づけられた辞書情報を記憶する記憶機能（例えば、図２のフラッシュＲＯＭ５０；図３の漢和辞典ＤＢ５１３ａ）と、
ユーザ操作に従って検索対象文字を指定する文字指定機能（例えば、図１９のステップＤ１１）と、
見出語中の前記検索対象文字の文字位置を指定する位置指定機能（例えば、図１９のステップＤ２５）と、
前記文字指定機能により指定された検索対象文字を前記位置指定機能により指定された文字位置に含む見出語を、前記記憶機能に記憶された辞書情報の中から読み出して表示する制御を行う表示制御機能（例えば、図２０のステップＥ３、Ｅ１１、Ｅ１９、Ｅ２７）と、
を実現させることを特徴としている。
【００２２】
請求項１４に記載のプログラムは、
コンピュータに、
一定の意味内容を有する複数の単語でなる一連単語を複数記憶する記憶機能（例えば、図２のフラッシュＲＯＭ５０；図２３の英和Ａ辞典用成句ＤＢ５７３１ａ）と、
ユーザ操作に従って検索対象単語を指定する単語指定機能（例えば、図２６のステップＦ１、図３０のステップＧ３）と、
一連単語中の前記検索対象単語の位置を指定する位置指定機能（例えば、図２６のステップＦ１３、Ｆ２５、図３０のステップＧ５）と、
前記単語指定機能により指定された検索対象単語を前記位置指定機能により指定された位置に含む一連単語を、前記記憶機能から読み出して表示する制御を行う表示制御機能（例えば、図２６のステップＦ７、Ｆ１９、図３０のステップＧ９）と、
を実現させることを特徴としている。
【００２３】
請求項１５に記載のプログラムは、
所定の通信回線を介して利用者端末と接続されるコンピュータに、
複数の見出語と当該各見出語の説明情報とがそれぞれ対応づけられた辞書情報を記憶する記憶機能と、
検索対象文字を前記利用者端末から受信する文字受信機能と、
見出語中の前記検索対象文字の文字位置を前記利用者端末から受信する位置受信機能と、
前記文字受信機能により受信した検索対象文字を前記位置受信機能により受信した文字位置に含む見出語を、前記記憶機能に記憶された辞書情報の中から読み出して表示させる制御信号を前記利用者端末に送信する表示制御信号送信機能と、
を実現させることを特徴としている。
【００２４】
請求項１６に記載のプログラムは、
所定の通信回線を介して利用者端末と接続されるコンピュータに、
一定の意味内容を有する複数の単語でなる一連単語を複数記憶する記憶機能と、
検索対象単語を前記利用者端末から受信する単語受信機能と、
一連単語中の前記検索対象単語の位置を前記利用者端末から受信する位置受信機能と、
前記単語受信機能により受信した検索対象単語を前記位置受信機能により受信した位置に含む一連単語を、前記記憶機能から読み出して表示させる制御信号を前記利用者端末に送信する表示制御信号送信機能と、
を実現させることを特徴としている。
【発明の効果】
【００２５】
請求項１又は１３に記載の発明によれば、複数の見出語とその説明情報とをそれぞれ辞書情報として対応付けて記憶し、検索対象文字とその検索対象文字の見出語中の文字位置とが指定されることで、当該検索対象文字を当該文字位置に含む見出語を、記憶した辞書情報の中から読み出して表示することができる。従って、ユーザは所望の見出語に含まれる文字とその文字の見出語中の文字位置とを条件に指定することで、当該条件を具備した見出語を容易且つ迅速に表示させることができる。
【００２６】
請求項２に記載の発明によれば、辞書情報として複数種類の辞書情報を記憶することができ、検索対象文字とその検索対象文字の見出語中の文字位置とが指定されることで、複数の辞書から容易且つ迅速に、当該検索対象文字を当該文字位置に含む見出語を、記憶した各辞書情報の中から読み出し、当該見出語を記憶した辞書情報が何れであるかを視認可能に表示することができる。これにより、指定した条件を具備した見出語が複数の辞書情報の中から一度に読み出されて表示されるため、ユーザは所望の見出語を容易に探し出すことができる。
【００２７】
請求項３に記載の発明によれば、記憶した複数種類の辞書情報の中から説明情報の表示対象とする辞書情報が選択され、この中から対応する説明情報を表示させる見出語が選択されることで、当該説明情報を当該選択された辞書情報の中から読み出して表示することができる。また、表示した説明情報中から一の文字が検索対象文字として指定され、その検索対象文字の見出語中の文字位置が更に指定されることで、当該検索対象文字を当該文字位置に含む見出語を、記憶した各辞書情報の中から読み出し、当該見出語を記憶した辞書情報が何れであるかを視認可能に表示することができる。
【００２８】
請求項４又は１４に記載の発明によれば、一定の意味内容を有する複数の単語でなる一連単語を複数記憶することができ、検索対象単語とその検索対象単語の一連単語中の位置とが指定されることで、当該検索対象単語を当該位置に含む一連単語を、記憶した一連単語の中から読み出して表示することができる。これにより、指定した条件を具備した一連単語が読み出されて表示されるため、ユーザは所望の一連単語を容易に探し出すことができる。
【００２９】
請求項５に記載の発明によれば、ユーザは上下左右それぞれの方向を任意に指示することができる。また、見出語を表示している状態においてユーザにより方向が指示されることで、検索対象文字の見出語中での文字位置を変化させ、その変化させた文字位置に当該検索対象文字を含む見出語を、記憶した辞書情報の中から読み出して表示することができる。このため、ユーザは検索対象文字の見出語中での文字位置を、簡単な操作により変化させて、検索することができる。
【００３０】
請求項６に記載の発明によれば、ユーザは上下左右それぞれの方向を任意に指示することができる。また、一連単語を表示している状態においてユーザにより方向が指示されることで、検索対象単語の一連単語中での位置を変化させ、その変化させた位置に当該検索対象単語を含む一連単語を、記憶した一連単語の中から読み出して表示することができる。このため、ユーザは検索対象単語の一連単語中での位置を、簡単な操作により変化させて、検索することができる。
【００３１】
請求項７に記載の発明によれば、記憶した各辞書情報の中から読み出した見出語を、この見出語を記憶している辞書情報別に一覧表示することができる。
【００３２】
請求項８に記載の発明によれば、複数種類の一連単語を辞書情報として複数種類記憶することができ、指定された検索対象単語を指定された位置に含む一連単語をこの中から読み出し、当該一連単語を記憶した辞書情報別に一覧表示することができる。
【００３３】
請求項９に記載の発明によれば、見出語を表示する際に、見出語を構成する文字数の昇順又は降順に一覧表示することができる。このため、ユーザは所望の見出語を構成する文字数に応じて、当該所望の見出語を容易に探し出すことができる。
【００３４】
請求項１０に記載の発明によれば、各文字について、その漢字を含む見出語を記憶した辞書情報を識別するための辞書識別情報と、この辞書情報中の当該見出語の記憶位置と、当該見出語の当該文字の文字位置とを対応付けて記憶することができ、指定された検索対象文字及び指定された文字位置に対応付けて記憶している辞書識別情報及び記憶位置をこの中から検索することで、検索した辞書識別情報に対応する辞書情報中の検索した記憶位置に記憶されている見出語を読み出して表示することができる。
【００３５】
請求項１１又は１５に記載の発明によれば、複数の見出語とその説明情報とを辞書情報として対応付けて記憶することができ、利用者端末から検索対象文字とその検索対象文字の見出語中の文字位置とを受信した場合に、当該検索対象文字を当該文字位置に含む見出語を、記憶した辞書情報の中から読み出して利用者端末に表示させることができる。
【００３６】
請求項１２又は１６に記載の発明によれば、一定の意味内容を有する複数の単語でなる一連単語を複数記憶することができ、利用者端末から検索対象単語とその検索対象単語の一連単語中の位置とを受信した場合に、当該検索対象単語を当該位置に含む一連単語を、記憶した一連単語の中から読み出して利用者端末に表示させることができる。
【発明を実施するための最良の形態】
【００３７】
以下、図１〜図３３を参照して、情報表示制御装置の一つである折り畳み式の携帯型電子辞書装置（以下、単に「電子辞書」と呼ぶ。）に本発明を適用した場合の実施形態について詳細に説明する。
【００３８】
まず、各実施形態に共通する全体の構成を説明する。
図１（ａ）は、電子辞書１の概観図である。電子辞書１は、各種操作キーを含むキー群３及びディスプレイ４を備えて構成されている。
【００３９】
キー群３は、ユーザが電子辞書１に対して文字を入力したり、見出語の一覧表示等を指示するためのキーを備えており、図１（ｂ）に示すように、例えば電源キー５と、辞書種別キー７と、文字入力キー９と、方向キー１１と、訳／決定キー１３と、戻るキー１５と、機能選択キー１７とを備えている。
【００４０】
電源キー５は、電源のＯＮ／ＯＦＦを切り替えるためのキーである。辞書種別キー７は検索対象の辞書種別を選択するためのキーであって、複数辞書漢字検索及び複数辞書例文検索を含む１０種類から辞書種別を選択することができる。
【００４１】
複数辞書漢字検索は、漢字を含む見出語を複数の辞書ＤＢから一度に検索することを可能にした検索機能であり、各実施形態において、後述する見出語データテーブル５１５を参照することにより実現される。同様に、複数辞書例文検索は、英語の成句又は例文見出語を複数の辞書ＤＢから一度に検索することを可能にした検索機能である。
【００４２】
文字入力キー９は、電子辞書１に対し、入力文字を入力するためのキーである。方向キー１１は、一覧表示された見出語の中から所望の見出語を選択したり、文字位置を指定する場合等に押下されるキーであり、本実施形態においては、上下左右の方向を指示入力可能に構成されている。
【００４３】
訳／決定キー１３は、電子辞書１に対し、見出語の一覧表示や選択した見出語の説明情報の表示を指示したり、操作の確定指示を入力する場合に押下されるキーである。戻るキー１５は、直前の表示画面に表示を戻すためのキーである。
【００４４】
機能選択キー１７は、リスト順選択キー１７ａと、ジャンプキー１７ｂと、絞込み検索キー１７ｃとを備えている。リスト順選択キー１７ａは、一覧表示される見出語の表示順序を示すリスト順を選択・変更する場合に押下されるキーであり、ジャンプキー１７ｂは、ジャンプ機能を利用して他の辞書にジャンプする場合に押下されるキーである。また、絞込み検索キー１７ｃは、文字位置を指定することで見出語の絞込み検索を行う場合に押下されるキーである。
【００４５】
ディスプレイ４は、各種キーの押下に応じた見出語のデータ等が表示される部分であって、ＬＣＤ（Liquid Crystal Display）等により構成されており、ＣＰＵ２０から入力される表示信号に基づいて各種表示を行う。
【００４６】
図２は、電子辞書１の構成を示すブロック図である。同図において、電子辞書１は、ＣＰＵ（Central Processing Unit）２０、入力部３０、表示部４０、フラッシュＲＯＭ（Read Only Memory）５０、ＲＡＭ（Random Access Memory）６０を備え、各部はバス７０で相互にデータ通信可能に接続されて構成されている。
【００４７】
ＣＰＵ２０は、入力部３０を介して入力される指示に基づいて、フラッシュＲＯＭ５０から所定のプログラムを読み出して当該プログラムをＲＡＭ６０に一時格納し、当該プログラムを用いて各種処理を実行した後、その処理結果を表示部４０に出力させる。すなわちＣＰＵ２０は、電子辞書１の各部を統括的に制御する役割を担っている。
【００４８】
入力部３０は、文字入力キーや方向キー等のキー群を備えた入力装置であり、押下されたキーの信号をＣＰＵ２０に出力する。この入力部３０におけるキー入力により、文字の入力、操作の確定指示等の入力手段が実現される。なお、この入力部３０は、図１（ａ）に示すキー群３に対応するが、必ずしもキーである必要はなく、例えばタッチパネルであってもよい。
【００４９】
表示部４０は、ＣＰＵ２０から入力される各種信号に基づいて各種画面を表示するものであり、図１（ａ）に示すディスプレイ４に対応する。
【００５０】
フラッシュＲＯＭ５０は、読み書き可能な不揮発性の記憶領域であり、電源がＯＮ状態にされた際に電子辞書１を初期状態に設定するためのプログラム及びデータの他、後述する各実施形態を実現するためのプログラムや辞書ＤＢ等を格納している。フラッシュＲＯＭ５０は、第１実施形態から第５実施形態において、それぞれフラッシュＲＯＭ５１、フラッシュＲＯＭ５３、フラッシュＲＯＭ５５、フラッシュＲＯＭ５７、フラッシュＲＯＭ５９として説明する。
【００５１】
ＲＡＭ６０は、ＣＰＵ２０の作業領域として各種データを一時的に記憶するための記憶領域である。ＲＡＭ６０は、第１実施形態から第５実施形態において、それぞれＲＡＭ６１、ＲＡＭ６３、ＲＡＭ６５、ＲＡＭ６７、ＲＡＭ６９として説明する。
【００５２】
〔第１実施形態〕
図３〜１２を参照して、第１実施形態について説明する。
【００５３】
まず、構成を説明する。
図３（ａ）は、第１実施形態に係る電子辞書１が図２のフラッシュＲＯＭ５０の代わりに備えるフラッシュＲＯＭ５１の構成を示す図である。フラッシュＲＯＭ５１は、ＣＰＵ２０によって読み出され、第１見出語一覧分類表示処理（図７参照）として実行される第１見出語一覧分類表示プログラム５１１と、辞書ＤＢ５１３と、見出語データテーブル５１５とを格納している。また、第１見出語一覧分類表示プログラム５１１は、リスト順設定処理（図８参照）として実行されるリスト順設定プログラム５１１ａを備えている。
【００５４】
第１見出語一覧分類表示処理とは、ユーザにより漢字とその漢字の見出語中での文字位置を示す文字目とが指定された場合に、当該漢字を当該文字目に含む見出語を特定して表示することで、指定された漢字を含む見出語の一覧を文字目毎に分類して表示する処理である。尚、文字目の指定は、ユーザによる左右のキー操作に従って行われる。
【００５５】
また、ユーザにより見出語の一覧を表示する順序を示すリスト順を変更する指示がなされた場合には、リスト順設定処理を行うことでリスト順を再設定し、その再設定したリスト順で見出語の一覧を表示する。この第１見出語一覧分類表示処理及びリスト順設定処理の動作については詳細に後述する。
【００５６】
辞書ＤＢ５１３は、漢和辞典ＤＢ５１３ａと、国語辞典ＤＢ５１３ｂと、古語辞典ＤＢ５１３ｃと、四字熟語ＤＢ５１３ｄと、類語辞典ＤＢ５１３ｅとを備えており、各辞書ＤＢにおいて、見出語に読みと説明情報とが対応付けられて記憶されている。
【００５７】
図４（ａ）は、漢和辞典ＤＢ５１３ａのデータ構成の一例を示す図である。同図において、例えば見出語「亜流」には、読み「アリュウ」と説明情報「１、その流派に属する人。・・・」とが対応付けられて記憶されている。図４（ｂ）は、国語辞典ＤＢ５１３ｂのデータ構成の一例を示す図である。同図において、例えば見出語「亜鉛」には、読み「あえん」と説明情報「（zinc）金属元素の一。・・・」とが対応付けられて記憶されている。尚、古語辞典ＤＢ５１３ｃ、四字熟語ＤＢ５１３ｄ及び類語辞典ＤＢ５１３ｅについては同様であるので、説明を省略する。
【００５８】
見出語データテーブル５１５は、昇順見出語データテーブル５１５ａと、降順見出語データテーブル５１５ｂと、読み順見出語データテーブル５１５ｃとを備えている。図５は、各見出語データテーブルの構成の一例を示す図であり、それぞれ、見出語に含まれる漢字（以下、「見出語漢字」と呼ぶ。）５１５ｄと、見出語漢字の見出語中での文字位置を示す文字目５１５ｅと、見出語の総文字数５１５ｆと、見出語の登録されている辞書種別５１５ｇと、見出語の各種データが記憶されているデータアドレス５１５ｈとが対応付けられた見出語データが、見出語漢字５１５ｄ及び文字目５１５ｅ毎に配列されている。但し、辞書種別５１５ｇとは、前述した辞書ＤＢ５１３に含まれる何れかの辞典の種類のことを指し、データアドレス５１５ｈとは、それぞれの辞書ＤＢ５１３において、読みと説明情報とが対応付けられた見出語が記憶されているアドレスのことを指す。
【００５９】
図５（ａ）は、昇順見出語データテーブル５１５ａを示しており、見出語データが見出語の総文字数５１５ｆに従って昇順に配列されている。図５（ｂ）は、降順見出語データテーブル５１５ｂを示しており、見出語データが見出語の総文字数５１５ｆに従って降順に配列されている。また、図５（ｃ）は、読み順見出語データテーブル５１５ｃを示しており、見出語データが見出語の読みの五十音順（以下、「読み順」と呼ぶ。）に配列されている。ここで示した各種見出語データテーブル５１５を参照して見出語データが特定されることにより、前述した複数辞書漢字検索が実現される。
【００６０】
図３（ｂ）は、第１実施形態に係る電子辞書１が図２のＲＡＭ６０の代わりに備えるＲＡＭ６１の構成を示す図である。ＲＡＭ６１は、選択漢字格納領域６１１と、指定文字目格納領域６１３と、指定リスト順格納領域６１５とを備えている。
【００６１】
選択漢字格納領域６１１は、ユーザにより選択された漢字（以下、「選択漢字」と呼ぶ。）を格納するための領域であり、図６（ａ）においては、例えば選択漢字が「亜」として格納される。
【００６２】
指定文字目格納領域６１３は、ユーザにより指定され、選択漢字の見出語中での文字位置を示す文字目（以下、「指定文字目」と呼ぶ。）を格納するための領域であり、図６（ｂ）においては、例えば指定文字目が「２」として格納される。
【００６３】
指定リスト順格納領域６１５は、ユーザにより指定され、見出語の一覧を表示する順序を示すリスト順（以下、「指定リスト順」と呼ぶ。）を格納するための領域であり、図６（ｃ）においては、例えば指定リスト順が「降順」として格納される。
【００６４】
次に動作を説明する。
図７は、ＣＰＵ２０により第１見出語一覧分類表示プログラム５１１が読み出されて実行されることにより電子辞書１において実行される第１見出語一覧分類表示処理の流れを示すフローチャートである。
【００６５】
先ず、ＣＰＵ２０は、初期設定として指定リスト順を降順に設定し（ステップＡ１）、指定リスト順格納領域６１５に格納する。そして、ユーザにより読みの入力が入力部３０を介してなされると（ステップＡ３）、ＣＰＵ２０は、漢和辞典ＤＢ５１３ａから、その読みから始まる見出語を検索する（ステップＡ５）。
【００６６】
次いで、ＣＰＵ２０は、検索した見出語の内、漢字１文字の見出語のみを候補漢字として表示部４０に一覧表示させる（ステップＡ７）。そして、ユーザにより一の候補漢字が選択漢字として選択されると（ステップＡ９）、ＣＰＵ２０は、この選択漢字を選択漢字格納領域６１１に格納する。
【００６７】
そして、ユーザにより訳／決定キー１３が押下されると（ステップＡ１１）、ＣＰＵ２０は、指定文字目ｎを「１」に設定し、指定文字目格納領域６１３に格納する（ステップＡ１３）。
【００６８】
その後、ＣＰＵ２０は、指定リスト順格納領域６１５に格納している指定リスト順の見出語データテーブル５１５から、選択漢字を見出語漢字とする見出語データを抽出し（ステップＡ１５）、抽出した見出語データから、文字目がｎの見出語データを特定して（ステップＡ１７）、特定した見出語データの辞書種別５１５ｇとデータアドレス５１５ｈとを見出語データテーブル５１５から参照することで、見出語を表示部４０に一覧表示させる（ステップＡ１９）。
【００６９】
そして、ＣＰＵ２０は、一覧表示させた見出語の内、一の見出語を選択見出語として反転表示させ(ステップＡ２１)、その選択見出語の説明情報を表示部４０に表示させる（ステップＡ２３）。
【００７０】
次いで、ＣＰＵ２０は、ユーザによりリスト順選択キー１７ａが押下されたかどうかを判定し（ステップＡ２５）、押下されたと判定した場合には（ステップＡ２５；Ｙｅｓ）、リスト順設定プログラム５１１ａを読み出して実行し、リスト順設定処理を行う（ステップＡ２７）。尚、このリスト順設定処理については、詳細に後述する。
【００７１】
また、ステップＡ２５において、リスト順選択キー１７ａが押下されなかったと判定した場合には（ステップＡ２５；Ｎｏ）、ＣＰＵ２０は、ユーザにより方向キー１１の右キーが押下されたかどうかを判定し（ステップＡ２９）、押下されたと判定した場合には（ステップＡ２９；Ｙｅｓ）、指定文字目格納領域６１３に格納されている指定文字目ｎが「６」以上であるかどうかを判定する（ステップＡ３１）。また、ステップＡ２９において右キーが押下されなかったと判定した場合には（ステップＡ２９；Ｎｏ）、ＣＰＵ２０は、ステップＡ４３に処理を移行する。
【００７２】
ステップＡ３１において、指定文字目ｎが「６」以上ではなかったと判定した場合には（ステップＡ３１；Ｎｏ）、ＣＰＵ２０は、指定文字目ｎの値に「１」を加算してｎを更新し（ステップＡ３３）、指定文字目格納領域６１３に格納・更新してステップＡ１５に戻る。
【００７３】
また、ステップＡ３１において、指定文字目ｎが「６」以上であったと判定した場合には（ステップＡ３１；Ｙｅｓ）、ＣＰＵ２０は、ステップＡ１５において抽出した見出語データから、文字目が６以上の見出語データを特定し（ステップＡ３５）、特定した見出語データの辞書種別５１５ｇとデータアドレス５１５ｈとを見出語データテーブル５１５から参照することで、見出語を表示部４０に一覧表示させる（ステップＡ３７）。
【００７４】
そして、ＣＰＵ２０は、一覧表示させた見出語の内、一の見出語を選択見出語として反転表示させ（ステップＡ３９）、選択見出語の説明情報を表示部４０に表示させる（ステップＡ４１）。
【００７５】
次いで、ＣＰＵ２０は、ユーザにより方向キー１１の左キーが押下されたかどうかを判定し（ステップＡ４３）、押下されたと判定した場合には（ステップＡ４３；Ｙｅｓ）、指定文字目格納領域６１３に格納されている指定文字目ｎが「１」であるかどうかを判定する（ステップＡ４５）。
【００７６】
ステップＡ４５において、指定文字目ｎが「１」ではなかったと判定した場合には（ステップＡ４５；Ｎｏ）、ＣＰＵ２０は、指定文字目ｎの値から「１」を減算してｎを更新し（ステップＡ４７）、指定文字目格納領域６１３に格納・更新してステップＡ１５に戻る。また、ステップＡ４５において、指定文字目ｎが「１」であったと判定した場合には（ステップＡ４５；Ｙｅｓ）、ステップＡ１５に戻る。
【００７７】
ステップＡ４３において、左キーが押下されなかったと判定した場合には（ステップＡ４３；Ｎｏ）、ＣＰＵ２０は、ユーザにより方向キー１１の上下キーが押下されたかどうかを判定する（ステップＡ４９）。そして、上下キーが押下されたと判定した場合には（ステップＡ４９；Ｙｅｓ）、その押下に応じて選択見出語を変更し（ステップＡ５１）、変更した選択見出語の説明情報を表示部４０に表示させる（ステップＡ５３）。また、ステップＡ４９において、上下キーが押下されなかったと判定した場合には（ステップＡ４９；Ｎｏ）、ＣＰＵ２０は、ステップＡ５５へと処理を移行する。
【００７８】
そして、ＣＰＵ２０は、ユーザにより訳／決定キー１３が押下されたかどうかを判定し（ステップＡ５５）、押下されなかったと判定した場合には（ステップＡ５５；Ｎｏ）、ステップＡ２５へ戻り、押下されたと判定した場合には（ステップＡ５５；Ｙｅｓ）、選択見出語の説明情報を表示部４０に全画面表示させ（ステップＡ５７）、第１見出語一覧分類表示処理を終了する。
【００７９】
次に、図７のステップＡ２７におけるリスト順設定処理について説明する。
図８は、ＣＰＵ２０によりリスト順設定プログラム５１１ａが読み出されて実行されることにより電子辞書１において実行されるリスト順設定処理の流れを示すフローチャートである。
【００８０】
先ず、ＣＰＵ２０は、候補リスト順画面を表示部４０に表示させる（ステップＢ１）。そして、ユーザにより総文字数昇順が選択されたかどうかを判定し（ステップＢ３）、選択されなかったと判定した場合には（ステップＢ３；Ｎｏ）、ステップＢ７へと処理を移行し、選択されたと判定した場合には（ステップＢ３；Ｙｅｓ）、指定リスト順を昇順に設定し（ステップＢ５）、指定リスト順格納領域６１５に格納・更新する。
【００８１】
次いで、ＣＰＵ２０は、ユーザにより総文字数降順が選択されたかどうかを判定し（ステップＢ７）、選択されなかったと判定した場合には（ステップＢ７；Ｎｏ）、ステップＢ１１へと処理を移行し、選択されたと判定した場合には（ステップＢ７；Ｙｅｓ）、指定リスト順を降順に設定し（ステップＢ９）、指定リスト順格納領域６１５に格納・更新する。
【００８２】
次いで、ＣＰＵ２０は、ユーザにより読み順が選択されたかどうかを判定し（ステップＢ１１）、選択されなかったと判定した場合には（ステップＢ１１；Ｎｏ）、リスト順設定処理を終了し、選択されたと判定した場合には（ステップ１１；Ｙｅｓ）、指定リスト順を読み順に設定し（ステップＢ１３）、指定リスト順格納領域６１５に格納・更新してリスト順設定処理を終了する。
【００８３】
次に、これまでの処理について、表示画面例を参照しつつ、具体的に説明する。
図９（ａ）は、電子辞書１の表示部４０に表示され、ユーザが読みを入力するための表示画面の一例である表示画面Ｗ１０を示したものである。表示画面Ｗ１０の上部には、ユーザが読みを入力するための括弧が表示されており、その中には、読み「あ」がＴ１０として入力されている（図７のステップＡ３）。また、表示画面Ｗ１０の下部には「複数辞書漢字検索」のタイトルが表示されている。
【００８４】
図９（ｂ）は、候補漢字の一覧が表示され、一の候補漢字が選択漢字として選択された場合の表示画面の一例である表示画面Ｗ１２を示したものである。表示画面Ｗ１０において、ユーザにより訳／決定キー１３が押下されたことで表示画面Ｗ１２が表示され、中央部から下部にかけて、読み「あ」で始まる漢字１文字の見出語が、候補漢字Ｋ１０として一覧表示されており（図７のステップＡ７）、ここでは、候補漢字「阿」が選択漢字として選択され（図７のステップＡ９）、Ｍ１２として反転表示されている。
【００８５】
図１０（ａ）は、選択漢字「阿」を見出語漢字とする見出語の内、文字目が「１」の見出語が表示された場合の表示画面の一例である表示画面Ｗ１４を示したものである。表示画面Ｗ１２において、ユーザにより訳／決定キー１３が押下されたことで（図７のステップＡ１１；Ｙｅｓ）、表示画面Ｗ１４が表示され、文字目が「１」の見出語が一覧表示される（図７のステップＡ１９）。表示画面Ｗ１４では、上部の「１文字目」の表示がＭ１３として反転表示され、文字目が「１」であることがユーザに一目でわかるようになっている。その下方には、文字目が「１」の見出語がＫ１３として一覧表示されており（図７のステップＡ１９）、その中の「阿鼻叫喚」が選択見出語でありＭ１４として反転表示されている（図７のステップＡ２１）。また、表示画面Ｗ１４の下部には、選択見出語である「阿鼻叫喚」の説明情報がＫ１４として表示されている（図７のステップＡ２３）。
【００８６】
図１０（ｂ）は、文字目が「２」の見出語が表示された場合の表示画面の一例である表示画面Ｗ１６を同様に示したものである。表示画面Ｗ１４において、ユーザにより方向キー１１の右キーが押下されたことで（図７のステップＡ２９；Ｙｅｓ）、表示画面Ｗ１６が表示され、文字目が「２」の見出語が一覧表示される（図７のステップＡ１９）。表示画面Ｗ１６では、上部の「２文字目」の表示がＭ１５として反転表示され、その下方には、文字目が「２」の見出語がＫ１５として一覧表示され（図７のステップＡ１９）、その中の「木阿弥」が選択見出語でありＭ１６として反転表示されている（図７のステップＡ２１）。また、表示画面Ｗ１６の下部には、選択見出語である「木阿弥」の説明情報がＫ１６として表示されている（図７のステップＡ２３）。
【００８７】
図１０（ｃ）は、文字目が「３」の見出語が表示された場合の表示画面の一例である表示画面Ｗ１８を同様に示したものである。表示画面Ｗ１６において、ユーザにより方向キー１１の右キーが更に押下されたことで（図７のステップＡ２９；Ｙｅｓ）、表示画面Ｗ１８が表示され、文字目が「３」の見出語が一覧表示される（図７のステップＡ１９）。表示画面Ｗ１８では、上部の「３文字目」の表示がＭ１７として反転表示され、その下方には、文字目が「３」の見出語がＫ１７として一覧表示され（図７のステップＡ１９）、その中の「曲学阿世」が選択見出語でありＭ１８として反転表示されている（図７のステップＡ２１）。また、表示画面Ｗ１８の下部には、選択見出語である「曲学阿世」の説明情報がＫ１８として表示されている（図７のステップＡ２３）。
【００８８】
ここで、表示画面上部に表示された文字目Ｍ１３、Ｍ１５、Ｍ１７を示すタグは左右方向に並んでいるのに対して、文字目の増減操作も左右のキー操作である。更に、表示画面中のタグで示された文字目は右に行くに従って大きくなるのに対して、文字目を増加させるキー操作も右のキーによる操作である。すなわち、表示画面中の文字目を示すタグの配列方向と、キー操作の方向とが同一であるため、ユーザは直感的な操作で簡単に文字目を増減させることができる。
【００８９】
また、左右のキー操作によって即時に、指定された文字目の見出語が随時読み出されて表示されるため、ユーザは確認・確定用に訳／決定キー１３等を更に押下する必要がなく、左右のキー操作だけで見出語を一覧表示させることができる。
【００９０】
次に、リスト順設定処理による処理結果を示すために、例を変えて説明する。
図１１（ａ）は、候補漢字の一覧が表示され、一の候補漢字が選択漢字として選択された場合の表示画面の一例である表示画面Ｗ２０を示したものであり、ここでは、候補漢字「亜」が選択漢字として選択され（図７のステップＡ９）、Ｍ２０として反転表示されている。
【００９１】
図１１（ｂ）は、選択漢字「亜」を見出語漢字とする見出語の内、文字目が「１」の見出語が表示された場合の表示画面の一例である表示画面Ｗ２２を示したものである。表示画面Ｗ２０において、ユーザにより訳／決定キー１３が押下されたことで（図７のステップＡ１１；Ｙｅｓ）、表示画面Ｗ２２が表示され、文字目が「１」の見出語が一覧表示される（図７のステップＡ１９）。表示画面Ｗ２２では、見出語の一覧がＫ２１として表示され、選択見出語「亜鉛鉄板」がＭ２２として反転表示され、その説明情報がＫ２２として表示されている（図７のステップＡ１９〜Ａ２３）。
【００９２】
図１１（ｃ）は、図１１（ｂ）に示した表示画面Ｗ２２においてユーザによりリスト順選択キー１７ａが押下され、リスト順の選択がなされた場合の表示画面の一例を示したものである。表示画面Ｗ２２において、ユーザによりリスト順選択キー１７ａが押下されたことで（図７のステップＡ２５；Ｙｅｓ）、表示画面Ｗ２２の中央部に、候補リスト順画面ＳＷ２０が表示されており（図８のステップＢ１）、ここでは総文字数昇順が選択され（図８のステップＢ３；Ｙｅｓ）、ラジオボタンＢ２０が選択されて塗りつぶし表示されている。これにより、指定リスト順が昇順として設定され（図８のステップＢ５）、指定リスト順格納領域６１５に格納・更新される。
【００９３】
図１２（ａ）は、総文字数昇順が選択されたことにより（図８のステップＢ３；Ｙｅｓ）、昇順に見出語が一覧表示された表示画面の一例である表示画面Ｗ２４を示したものである。図１１（ｃ）に示した候補リスト順画面ＳＷ２０において、ユーザにより総文字数昇順が選択され（図８のステップＢ３；Ｙｅｓ）、訳／決定キー１３が押下されたことで、候補漢字「亜」を見出語漢字とする見出語の内、文字目が「１」の見出語が、総文字数の昇順にＫ２４として一覧表示されている（図８のステップＢ５、図７のステップＡ１９）。
【００９４】
図１２（ｂ）は、総文字数降順が選択されたことにより（図８のステップＢ７；Ｙｅｓ）、降順に見出語が一覧表示された表示画面の一例である表示画面Ｗ２６を示したものである。図１１（ｃ）に示した候補リスト順画面ＳＷ２０において、ユーザにより総文字数降順が選択され（図８のステップＢ７；Ｙｅｓ）、訳／決定キー１３が押下されたことで、候補漢字「亜」を見出語漢字とする見出語の内、文字目が「１」の見出語が、総文字数の降順にＫ２６として一覧表示されている（図８のステップＢ９、図７のステップＡ１９）。
【００９５】
図１２（ｃ）は、読み順が選択されたことにより（図８のステップＢ１１；Ｙｅｓ）、読み順に見出語が一覧表示された表示画面の一例である表示画面Ｗ２８を示したものである。図１１（ｃ）に示した候補リスト順画面ＳＷ２０において、ユーザにより読み順が選択され（図８のステップＢ１１；Ｙｅｓ）、訳／決定キー１３が押下されたことで、候補漢字「亜」を見出語漢字とする見出語の内、文字目が「１」の見出語が、読み順にＫ２８として一覧表示されている（図８のステップＢ１３、図７のステップＡ１９）。
【００９６】
以上の通りに、第１実施形態によれば、ユーザにより漢字と文字目とが指定されることで、当該指定された漢字を含む見出語の一覧を文字目毎に分類して表示することができる。また、リスト順を再設定し、その再設定したリスト順で見出語の一覧を表示することができる。このため、ユーザが所望の見出語に含まれる文字とその文字の見出語中の文字位置とを条件に指定することで、当該条件を具備した見出語を適切に表示させることのできる、使い勝手の良い情報表示制御装置等が実現できる。
【００９７】
尚、第１見出語一覧分類表示処理では、初期設定として指定リスト順を降順に設定するものとして説明したが、これに限られるわけではなく、昇順又は読み順に設定しても勿論構わない。
【００９８】
〔第２実施形態〕
図１３〜１６を参照して、第２実施形態について説明する。
【００９９】
まず、構成を説明する。
図１３（ａ）は、第２実施形態に係る電子辞書１が図２のフラッシュＲＯＭ５０の代わりに備えるフラッシュＲＯＭ５３の構成を示す図である。フラッシュＲＯＭ５３は、ＣＰＵ２０によって読み出され、第２見出語一覧分類表示処理（図１５参照）として実行される第２見出語一覧分類表示プログラム５３１と、辞書ＤＢ５１３と、見出語データテーブル５１５とを格納している。また、第２見出語一覧分類表示プログラム５３１は、リスト順設定処理（図８参照）として実行されるリスト順設定プログラム５１１ａを備えている。尚、辞書ＤＢ５１３、見出語データテーブル５１５及びリスト順設定処理については、第１実施形態と同様であるので説明を省略する。
【０１００】
第２見出語一覧分類表示処理とは、辞書引き処理により表示した一の見出語の説明情報中の何れかの文字がユーザによりジャンプ文字として選択され、そのジャンプ文字の見出語中での文字位置を示す文字目が更に指定された場合に、当該ジャンプ文字を当該文字目に含む見出語を特定して表示することで、選択されたジャンプ文字を含む見出語の一覧を文字目毎に分類して表示する処理である。尚、文字目の指定は、ユーザによる左右のキー操作に従って行われる。この第２見出語一覧分類表示処理の動作については詳細に後述する。
【０１０１】
図１３（ｂ）は、第２実施形態に係る電子辞書１が図２のＲＡＭ６０の代わりに備えるＲＡＭ６３の構成を示す図である。ＲＡＭ６３は、指定文字目格納領域６１３と、指定リスト順格納領域６１５と、ジャンプ文字格納領域６３１と、ジャンプ先辞書種別格納領域６３３とを備えている。尚、指定文字目格納領域６１３及び指定リスト順格納領域６１５
については、第１実施形態と同様であるので説明を省略する。
【０１０２】
ジャンプ文字格納領域６３１は、辞書引きを行って表示された一の見出語の説明情報中で、ユーザにより選択される文字（以下、「ジャンプ文字」と呼ぶ。）を格納するための領域であり、図１４（ａ）においては、例えばジャンプ文字が「阿」として格納される。
【０１０３】
ジャンプ先辞書種別格納領域６３３は、ジャンプ文字が選択されてジャンプを行う場合に、ユーザにより選択されるジャンプ先の辞書の種類（以下、「ジャンプ先辞書種別」と呼ぶ。）を格納するための領域であり、図１４（ｂ）においては、例えばジャンプ先辞書種別が「複数辞書漢字検索」として格納される。本実施形態において、複数辞書漢字検索は辞書種別であるものとして取り扱う。
【０１０４】
次に動作を説明する。
図１５は、ＣＰＵ２０により第２見出語一覧分類表示プログラム５３１が読み出されて実行されることにより電子辞書１において実行される第２見出語一覧分類表示処理の流れを示すフローチャートである。尚、第２見出語一覧分類表示処理におけるステップＣ１９以降の処理は、第１見出語一覧分類表示処理におけるステップＡ１３以降の処理において
、選択漢字をジャンプ文字に置き換えた処理と同一であるので、説明を省略する。
【０１０５】
先ず、ユーザにより検索対象とする辞書種別が選択され（ステップＣ１）、続けて一の見出語が選択されると（ステップＣ３）、ＣＰＵ２０は、選択された見出語の説明情報を表示部４０に表示させる（ステップＣ５）。そして、ユーザによりジャンプキー１７ｂが押下され（ステップＣ７）、表示された説明情報中の文字がジャンプ文字として選択されると（ステップＣ９）、ＣＰＵ２０は、このジャンプ文字をジャンプ文字格納領域６３１に格納する。
【０１０６】
次いで、ＣＰＵ２０は、ユーザにより訳／決定キー１３が押下されたかどうかを判定し（ステップ１１）、押下されたと判定した場合には（ステップ１１；Ｙｅｓ）、ジャンプ先辞書選択画面を表示部４０に表示させる（ステップＣ１３）。そして、ユーザによりジャンプ先辞書として複数辞書漢字検索が選択されると（ステップＣ１５）、ＣＰＵ２０は、これをジャンプ先辞書種別格納領域６３３に格納する。
【０１０７】
その後、ＣＰＵ２０は、初期設定として指定リスト順を降順に設定して（ステップＣ１７）、指定リスト順格納領域６１５に格納し、ステップＣ１９以降へと処理を移行する。
【０１０８】
次に、これまでの処理について、表示画面例を参照しつつ、具体的に説明する。
図１６（ａ）は、辞書引きを行って国語辞典における見出語の説明情報が表示された場合の表示画面の一例である表示画面Ｗ３０を示したものである。ここでは、辞書引きにより、見出語「観阿弥」の説明情報が表示されている（図１５のステップＣ１〜Ｃ５）。この状態で、ユーザによりジャンプキー１７ｂが押下されることで（図１５のステップＣ７）、ジャンプ文字を選択するためのカーソルが表示され、ユーザは所望のジャンプ文字を選択することができるようになる（図１５のステップＣ９）。
【０１０９】
図１６（ｂ）は、図１６（ａ）に示した表示画面Ｗ３０においてジャンプキー１７ｂが押下され、ジャンプ文字が選択されることにより表示されるジャンプ先辞書選択画面の一例を示したものである。ユーザによる上下左右のキー操作に従って、表示画面Ｗ３０上部に表示された説明情報「観阿弥」の中の漢字「阿」がジャンプ文字として選択され（図１５のステップＣ９）、Ｍ３０として反転表示されている。また、ユーザにより続けて訳／決定キー１３が押下されたことで（図１５のステップＣ１１；Ｙｅｓ）、表示画面Ｗ３０の中央部には、ジャンプ先辞書選択画面ＳＷ３０が表示されており（図１５のステップＣ１３）、ここではジャンプ先辞書種別として複数辞書漢字検索が選択され（図１５のステップＣ１５）、ラジオボタンＢ３０が選択されて塗りつぶし表示されている。これにより、ジャンプ先辞書種別として複数辞書漢字検索が設定され、ジャンプ先辞書種別格納領域６３３に格納される。
【０１１０】
図１６（ｃ）は、ジャンプ文字「阿」を見出語漢字とする見出語の内、文字目が「１」の見出語が表示された場合の表示画面の一例である表示画面Ｗ３２を示したものである。表示画面Ｗ３０において、ユーザにより訳／決定キー１３が押下されたことで、表示画面Ｗ３２が表示され、文字目が「１」の見出語が一覧表示される（図１５のステップＣ２５）。表示画面Ｗ３２では、上部の「１文字目」の表示がＭ３１として反転表示され、その下方には、文字目が「１」の見出語がＫ３１として一覧表示されており（図１５のステップＣ２５）、その中の「阿鼻叫喚」が選択見出語でありＭ３２として反転表示されている（図１５のステップＣ２７）。また、表示画面Ｗ３２の下部には、選択見出語である「阿鼻叫喚」の説明情報がＫ３２として表示されている（図７のステップＣ２９）。
【０１１１】
以上の通りに、第２実施形態によれば、ユーザによりジャンプ文字と文字目とが選択・指定されることで、当該選択されたジャンプ文字を含む見出語の一覧を文字目毎に分類して表示することができる。
【０１１２】
尚、第２見出語一覧分類表示処理においても、リスト順設定処理を行うことでリスト順を設定し、設定したリスト順で見出語の一覧を表示することが可能である。
【０１１３】
〔第３実施形態〕
図１７〜２２を参照して、第３実施形態について説明する。
【０１１４】
まず、構成を説明する。
図１７（ａ）は、第３実施形態に係る電子辞書１が図２のフラッシュＲＯＭ５０の代わりに備えるフラッシュＲＯＭ５５の構成を示す図である。フラッシュＲＯＭ５５は、ＣＰＵ２０によって読み出され、第３見出語一覧分類表示処理（図１９参照）として実行される第３見出語一覧分類表示プログラム５５１と、辞書ＤＢ５１３とを格納している。また、第３見出語一覧分類表示プログラム５５１は、絞込み検索表示処理（図２０参照）として実行される絞込み検索表示プログラム５５１ａを備えている。尚、辞書ＤＢ５１３については、第１実施形態と同様であるので説明を省略する。
【０１１５】
第３見出語一覧分類表示処理とは、ユーザにより漢字が指定されることで、その漢字を含む見出語を辞書毎に検索して一覧表示し、当該漢字の見出語中での文字位置を示す文字目が更に指定された場合には、絞込み検索表示処理により当該漢字を当該文字目に含む見出語を検索して表示することで、指定された漢字を含む見出語の一覧を辞書毎且つ文字目毎に分類して表示する処理である。尚、文字目の指定は、ユーザにより絞込み検索画面において文字目が選択されることで行われる。この第３見出語一覧分類表示処理及び絞込み検索表示処理の動作については詳細に後述する。
【０１１６】
図１７（ｂ）は、第３実施形態に係る電子辞書１が図２のＲＡＭ６０の代わりに備えるＲＡＭ６５の構成を示す図である。ＲＡＭ６５は、選択漢字格納領域６１１と、絞込み文字目格納領域６５１と、指定辞書種別格納領域６５３とを備えている。尚、選択漢字格納領域６１１については、第１実施形態と同様であるので説明を省略する。
【０１１７】
絞込み文字目格納領域６５１は、絞込み検索機能を利用して絞込み検索を行う場合に、ユーザにより指定される文字目（以下、「絞込み文字目」と呼ぶ。）を格納するための領域であり、図１８（ａ）においては、例えば絞込み文字目が「２」として格納される。
【０１１８】
指定辞書種別格納領域６５３は、ユーザにより指定される辞書の種類（以下、「指定辞書種別」と呼ぶ。）を格納するための領域であり、図１８（ｂ）においては、例えば指定辞書種別が「漢和辞典」として格納される。
【０１１９】
次に動作を説明する。
図１９は、ＣＰＵ２０により第３見出語一覧分類表示プログラム５５１が読み出されて実行されることにより電子辞書１において実行される第３見出語一覧分類表示処理の流れを示すフローチャートである。
【０１２０】
先ず、ＣＰＵ２０は、初期設定として絞込み文字目を「全表示」に設定し（ステップＤ１）、絞込み文字目格納領域６５１に格納する。続いて、ＣＰＵ２０は、初期設定として指定辞書種別を漢和辞典に設定し（ステップＤ３）、指定辞書種別格納領域６５３に格納する。
【０１２１】
次に、ユーザにより入力部３０を介して読みが入力されると（ステップＤ５）、ＣＰＵ２０は、漢和辞典ＤＢ５１３ａから、その読みから始まる見出語を検索し（ステップＤ７）、その中から、漢字１文字の見出語のみを候補漢字として表示部４０に一覧表示させる（ステップＤ９）。
【０１２２】
そして、ユーザにより一の候補漢字が選択漢字として選択され（ステップＤ１１）、訳／決定キー１３が押下されると（ステップＤ１３）、ＣＰＵ２０は、その選択漢字を含む見出語を、指定辞書種別格納領域６５３に格納されている指定辞書種別のＤＢ（以下、「指定辞書ＤＢ」と呼ぶ。）から読み出して表示部４０に一覧表示させる（ステップＤ１５）。
【０１２３】
また、ＣＰＵ２０は、一覧表示させた見出語の内、一の見出語を選択見出語として反転表示させ（ステップＤ１７）、その選択見出語の説明情報を表示部４０に表示させる（ステップＤ１９）。
【０１２４】
そして、ＣＰＵ２０は、ユーザにより絞込み検索キー１７ｃが押下されたかどうかを判定し（ステップＤ２１）、押下されたと判定した場合には（ステップＤ２１；Ｙｅｓ）、絞込み検索画面を表示部４０に表示させる（ステップＤ２３）。そして、ユーザにより文字目が選択されると（ステップＤ２５）、ＣＰＵ２０は、選択された文字目を絞込み文字目として再設定し（ステップＤ２７）、絞込み文字目格納領域６５１に格納・更新する。また、ステップＤ２１において、ユーザにより絞込み検索キー１７ｃが押下されなかったと判定した場合には（ステップＤ２１；Ｎｏ）、ＣＰＵ２０は、ステップＤ３１に処理を移行する。
【０１２５】
次いで、ＣＰＵ２０は、絞込み検索表示プログラム５５１ａを読み出して実行し、絞込み検索表示処理を行う（ステップＤ２９）。尚、この絞込み検索表示処理については、詳細に後述する。
【０１２６】
その後、ＣＰＵ２０は、ユーザにより方向キー１１の右キーが押下されたかどうかを判定し（ステップＤ３１）、押下されたと判定した場合には（ステップＤ３１；Ｙｅｓ）、指定辞書種別を国語辞典に設定し（ステップＤ３３）、指定辞書種別格納領域６５３に格納・更新する。そして、ＣＰＵ２０は、絞込み検索表示プログラム５５１ａを再度読み出して実行し、絞込み検索表示処理を行って（ステップＤ３５）、ステップＤ２１に戻る。
【０１２７】
ステップＤ３１において、ユーザにより右キーが押下されなかったと判定した場合には（ステップＤ３１；Ｎｏ）、ＣＰＵ２０は、ユーザにより方向キー１１の左キーが押下されたかどうかを判定し（ステップＤ３７）、押下されたと判定した場合には（ステップＤ３７；Ｙｅｓ）、指定辞書種別を漢和辞典に設定し（ステップＤ３９）、指定辞書種別格納領域６５３に格納・更新する。そして、ＣＰＵ２０は、絞込み検索表示プログラム５５１ａを再度読み出して実行し、絞込み検索表示処理を行って（ステップＤ４１）、ステップＤ２１に戻る。
【０１２８】
ステップＤ３７において、ユーザにより左キーが押下されなかったと判定した場合には（ステップＤ３７；Ｎｏ）、ＣＰＵ２０は、ユーザにより方向キー１１の上下キーが押下されたかどうかを判定し（ステップＤ４３）、押下されたと判定した場合には（ステップＤ４３；Ｙｅｓ）、その上下キーの押下に従って選択見出語を変更する（ステップＤ４５）。そして、ＣＰＵ２０は、変更した選択見出語の説明情報を表示部４０に表示させる（ステップＤ４７）。
【０１２９】
次いで、ＣＰＵ２０は、ユーザにより訳／決定キー１３が押下されたかどうかを判定し（ステップＤ４９）、押下されたと判定した場合には（ステップＤ４９；Ｙｅｓ）、選択見出語の説明情報を表示部４０に全画面表示させて（ステップＤ５１）、第３見出語一覧分類表示処理を終了する。また、ステップＤ４９において、訳／決定キー１３が押下されなかったと判定した場合には（ステップＤ４９；Ｎｏ）、ステップＤ２１に戻る。
【０１３０】
次に、図１９のステップＤ２９、Ｄ３５及びＤ４１における絞込み検索表示処理について説明する。
図２０は、ＣＰＵ２０により絞込み検索表示プログラム５５１ａが読み出されて実行されることにより電子辞書１において実行される絞込み検索表示処理の流れを示すフローチャートである。
【０１３１】
先ず、ＣＰＵ２０は、絞込み文字目格納領域６５１に格納されている絞込み文字目が「１」であるかどうかを判定し（ステップＥ１）、「１」であったと判定した場合には（ステップＥ１；Ｙｅｓ）、選択漢字を１文字目に含む見出語を、指定辞書ＤＢから読み出して表示部４０に一覧表示させる（ステップＥ３）。
【０１３２】
そして、ＣＰＵ２０は、一覧表示させた見出語の内、一の見出語を選択見出語として反転表示させ（ステップＥ５）、その選択見出語の説明情報を表示部４０に表示させる（ステップＥ７）。また、ステップＥ１において、絞込み文字目が「１」ではなかったと判定した場合には（ステップＥ１；Ｎｏ）、ＣＰＵ２０は、ステップＥ９に処理を移行する。
【０１３３】
次いで、ＣＰＵ２０は、絞込み文字目格納領域６５１に格納されている絞込み文字目が「２」であるかどうかを判定し（ステップＥ９）、「２」であったと判定した場合には（ステップＥ９；Ｙｅｓ）、選択漢字を２文字目に含む見出語を、指定辞書ＤＢから読み出して表示部４０に一覧表示させる（ステップＥ１１）。
【０１３４】
そして、ＣＰＵ２０は、一覧表示させた見出語の内、一の見出語を選択見出語として反転表示させ（ステップＥ１３）、その選択見出語の説明情報を表示部４０に表示させる（ステップＥ１５）。また、ステップＥ９において、絞込み文字目が「２」ではなかったと判定した場合には（ステップＥ９；Ｎｏ）、ＣＰＵ２０は、ステップＥ１７に処理を移行する。
【０１３５】
次いで、ＣＰＵ２０は、絞込み文字目格納領域６５１に格納されている絞込み文字目が「３以降」であるかどうかを判定し（ステップＥ１７）、「３以降」であったと判定した場合には（ステップＥ１７；Ｙｅｓ）、選択漢字を３文字目以降に含む見出語を、指定辞書ＤＢから読み出して表示部４０に一覧表示させる（ステップＥ１９）。
【０１３６】
そして、ＣＰＵ２０は、一覧表示させた見出語の内、一の見出語を選択見出語として反転表示させ（ステップＥ２１）、その選択見出語の説明情報を表示部４０に表示させる（ステップＥ２３）。また、ステップＥ１７において、絞込み文字目が「３以降」ではなかったと判定した場合には（ステップＥ１７；Ｎｏ）、ＣＰＵ２０は、ステップＥ２５に処理を移行する。
【０１３７】
次いで、ＣＰＵ２０は、絞込み文字目格納領域６５１に格納されている絞込み文字目が「全表示」であるかどうかを判定し（ステップＥ２５）、「全表示」であったと判定した場合には（ステップＥ２５；Ｙｅｓ）、選択漢字を含む全ての見出語を、指定辞書ＤＢから読み出して表示部４０に一覧表示させる（ステップＥ２７）。
【０１３８】
そして、ＣＰＵ２０は、一覧表示させた見出語の内、一の見出語を選択見出語として反転表示させ（ステップＥ２９）、その選択見出語の説明情報を表示部４０に表示させて（ステップＥ３１）、絞込み検索表示処理を終了する。また、ステップＥ２５において、絞込み文字目が「全表示」ではなかったと判定した場合には（ステップＥ２５；Ｎｏ）、ＣＰＵ２０は、絞込み検索表示処理を終了する。
【０１３９】
次に、これまでの処理について、表示画面例を参照しつつ、具体的に説明する。
図２１（ａ）は、候補漢字の一覧が表示され、一の候補漢字が選択漢字として選択された場合の表示画面の一例である表示画面Ｗ４０を示したものである。表示画面４０の上部には読みとして「ひろむ」がユーザにより入力され（図１９のステップＤ５）、Ｔ４０として表示されている。また、表示画面Ｗ４０の中央部から下部にかけて、読み「ひろむ」で始まる漢字１文字の見出語が、候補漢字Ｋ４０として一覧表示されており（図１９のステップＤ９）、ここでは、候補漢字「熙」が選択漢字として選択され（図１９のステップＤ１１）、Ｍ４０として反転表示されている。
【０１４０】
図２１（ｂ）は、選択漢字「熙」を見出語漢字とする見出語の内、漢和辞典ＤＢ５１３ａに登録されている見出語が表示された場合の表示画面の一例である表示画面Ｗ４２を示したものである。表示画面Ｗ４０において、ユーザにより訳／決定キー１３が押下されたことで（図１９のステップＤ１３；Ｙｅｓ）、表示画面Ｗ４２が表示され、漢和辞典において選択漢字「熙」を含む見出語が一覧表示される（図１９のステップＤ１５）。表示画面Ｗ４２では、上部の「漢和」の表示がＭ４１として反転表示され、指定辞書種別が「漢和辞典」であることがユーザに一目でわかるようになっている。その下方には、選択漢字「熙」を見出語漢字とする見出語がＫ４１として一覧表示されており（図１９のステップＤ１５）、その中の「熙熙」が選択見出語でありＭ４２として反転表示されている（図１９のステップＤ１７）。また、表示画面Ｗ４２の下部には、選択見出語である「熙熙」の説明情報がＫ４２として表示されている（図１９のステップＤ１９）。
【０１４１】
図２１（ｃ）は、選択漢字「熙」を見出語漢字とする見出語の内、国語辞典ＤＢ５１３ｂに登録されている見出語が表示された場合の表示画面の一例である表示画面Ｗ４４を示したものである。表示画面Ｗ４２において、ユーザにより方向キー１１の右キーが押下されたことで（図１９のステップＤ３１；Ｙｅｓ）、表示画面Ｗ４４が表示され、国語辞典において選択漢字「熙」を含む見出語が一覧表示される（図１９のステップＤ３３、図２０のステップＥ２７）。表示画面Ｗ４４では、上部の「国語」の表示がＭ４３として反転表示され、その下方には、選択漢字「熙」を見出語漢字とする見出語がＫ４３として一覧表示されており（図１９のステップＤ３５；図２０のステップＥ２７）、その中の「熙朝詩薈」が選択見出語でありＭ４４として反転表示されている（図２０のステップＥ２９）。また、表示画面Ｗ４４の下部には、選択見出語である「熙朝詩薈」の説明情報がＫ４４として表示されている（図２０のステップＥ３１）。
【０１４２】
図２２（ａ）は、図２１（ｂ）に示した表示画面Ｗ４２において絞込み検索キー１７ｃが押下され、絞込み検索画面が表示された場合の表示画面の一例を示したものである。表示画面Ｗ４２において、ユーザにより絞込み検索キー１７ｃが押下されたことで（図１９のステップＤ２１；Ｙｅｓ）、中央部には、絞込み検索と表示された絞込み検索画面ＳＷ４０が表示されており（図１９のステップＤ２３）、ここでは、その中から文字目として２文字目が選択され（図１９のステップＤ２５）、ラジオボタンＢ４０が選択されて塗りつぶし表示されている。これにより、絞込み文字目が「２」として設定され（図１９のステップＤ２７）、絞込み文字目格納領域６５１に格納される。
【０１４３】
図２２（ｂ）は、絞込み検索表示処理によって、選択漢字「熙」を見出語漢字とする見出語の内、漢和辞典ＤＢ５１３ａに登録されており、選択漢字「熙」を２文字目に含む見出語が表示された場合の表示画面の一例である表示画面Ｗ４６を示したものである。図２２（ａ）の表示画面Ｗ４２において、ユーザにより訳／決定キー１３が押下されたことで表示画面Ｗ４６が表示され、漢和辞典において選択漢字「熙」を２文字目に含む見出語が一覧表示される（図１９のステップＤ３９、図２０のステップＥ１１）。表示画面Ｗ４６では、選択漢字「熙」を２文字目に含む見出語がＫ４５として一覧表示されており（図１９のステップＤ４１；図２０のステップＥ１１）、その中の「緝熙」が選択見出語でありＭ４６として反転表示されている（図２０のステップＥ１３）。また、表示画面Ｗ４６の下部には、選択見出語である「緝熙」の説明情報がＫ４６として表示されている（図２０のステップＥ１５）。
【０１４４】
以上の通りに、第３実施形態によれば、ユーザにより指定された漢字を含む見出語を辞書毎に検索して一覧表示し、文字目が更に指定された場合には絞込み検索表示処理を行うことで、当該指定された漢字を含む見出語の一覧を辞書毎且つ文字目毎に分類して表示することができる。
【０１４５】
尚、第３見出語一覧分類表示処理ではリスト順について特に言及しなかったが、第１見出語一覧分類表示処理と同様に、リスト順として昇順、降順、読み順の何れかの順序を設定し、その設定した順序で見出語の一覧を表示するものとしても勿論良い。
【０１４６】
〔第４実施形態〕
図２３〜２７を参照して、第４実施形態について説明する。
【０１４７】
まず、構成を説明する。
図２３（ａ）は、第４実施形態に係る電子辞書１が図２のフラッシュＲＯＭ５０の代わりに備えるフラッシュＲＯＭ５７の構成を示す図である。フラッシュＲＯＭ５７は、ＣＰＵ２０によって読み出され、第４見出語一覧分類表示処理（図２６参照）として実行される第４見出語一覧分類表示プログラム５７１と、辞書ＤＢ５７３とを格納している。
【０１４８】
第４見出語一覧分類表示処理とは、ユーザにより単語とその単語の成句見出語中での単語位置を示す単語目とが指定された場合に、当該単語を当該単語目に含む成句見出語を検索して表示することで、指定された単語を含む成句見出語の一覧を単語目毎に分類して表示する処理である。尚、単語目の指定は、ユーザによる左右のキー操作に従って行われる。この第４見出語一覧分類表示処理については詳細に後述する。
【０１４９】
辞書ＤＢ５７３は、英和Ａ辞典ＤＢ５７３１と、英和Ｂ辞典ＤＢ５７３３と、英英辞典ＤＢ５７３５とを備えており、各辞書ＤＢはそれぞれ英和Ａ辞典用成句ＤＢ５７３１ａ、英和Ｂ辞典用成句ＤＢ５７３３ａ、英英辞典用成句ＤＢ５７３５ａを備えている。各辞典用成句ＤＢは、成句見出語に説明情報が対応付けられて記憶されている。
【０１５０】
図２４は、英和Ａ辞典用成句ＤＢ５７３１ａのデータ構成の一例を示す図である。同図において、例えば成句見出語「ｌｉｋｅ  ａ  ｂａｄ  ｈａｌｆｐｅｎｎｙ」に、説明情報「しつっこく」が対応付けられて記憶されている。尚、英和Ｂ辞典用成句ＤＢ５７３３ａ及び英英辞典用成句ＤＢ５７３５ａについては同様であるので、説明を省略する。
【０１５１】
図２３（ｂ）は、第４実施形態に係る電子辞書１が図２のＲＡＭ６０の代わりに備えるＲＡＭ６７の構成を示す図である。ＲＡＭ６７は、入力単語格納領域６７１と、指定単語目格納領域６７３とを備えている。
【０１５２】
入力単語格納領域６７１は、ユーザにより入力された単語（以下、「入力単語」と呼ぶ。）を格納するための領域であり、図２５（ａ）においては、例えば入力単語が「ｌｉｋｅ」として格納される。
【０１５３】
指定単語目格納領域６７３は、ユーザにより指定され、入力単語の成句見出語中での単語位置を示す単語目（以下、「指定単語目」と呼ぶ。）を格納するための領域であり、図２５（ｂ）においては、例えば指定単語目が「２」として格納される。
【０１５４】
次に動作を説明する。
図２６は、ＣＰＵ２０により第４見出語一覧分類表示プログラム５７１が読み出されて実行されることにより電子辞書１において実行される第４見出語一覧分類表示処理の流れを示すフローチャートである。
【０１５５】
先ず、ユーザにより単語の入力が入力部３０を介してなされると（ステップＦ１）、ＣＰＵ２０は、入力された単語を入力単語として入力単語格納領域６７１に格納する。
そして、ユーザにより訳／決定キー１３が押下されると（ステップＦ３）、ＣＰＵ２０は、指定単語目ｎを「１」に設定し、指定単語目格納領域６７３に格納する（ステップＦ５）。
【０１５６】
その後、ＣＰＵ２０は、成句見出語に含まれる（）及び［］の記号文字を適切に判断して、入力単語をｎ単語目に含む成句見出語を、各辞典用成句ＤＢ５７３１ａ〜５７３５ａから読み出して表示部４０に一覧表示させる（ステップＦ７）。そして、ＣＰＵ２０は、一覧表示させた成句見出語の内、一の成句見出語を選択見出語として反転表示させ(ステップＦ９)、その選択見出語の説明情報を表示部４０に表示させる（ステップＦ１１）。ここで、成句見出語に含まれる（）で囲まれる単語は削除可能な単語を表し、［］で囲まれる単語は直前の単語と交換可能な単語であるものとし、ＣＰＵ２０はこの（）及び［］を適切に判断して、単語目を計算する。
【０１５７】
次いで、ＣＰＵ２０は、ユーザにより方向キー１１の右キーが押下されたかどうかを判定し（ステップＦ１３）、押下されたと判定した場合には（ステップＦ１３；Ｙｅｓ）、指定単語目格納領域６７３に格納されている指定単語目ｎが「６」以上であるかどうかを判定する（ステップＦ１５）。
【０１５８】
ステップＦ１５において、指定単語目ｎが「６」以上ではなかったと判定した場合には（ステップＦ１５；Ｎｏ）、ＣＰＵ２０は、指定単語目ｎの値に「１」を加算してｎを更新し（ステップＦ１７）、指定単語目格納領域６７３に格納・更新してステップＦ７に戻る。
【０１５９】
また、ステップＦ１５において、指定単語目ｎが「６」以上であったと判定した場合には（ステップＦ１５；Ｙｅｓ）、ＣＰＵ２０は、入力単語を６単語目以降に含む成句見出語を、各辞典用成句ＤＢ５７３１ａ〜５７３５ａから読み出して表示部４０に一覧表示させる（ステップＦ１９）。そして、ＣＰＵ２０は、一覧表示させた成句見出語の内、一の成句見出語を選択見出語として反転表示させ(ステップＦ２１)、選択見出語の説明情報を表示部４０に表示させる（ステップＦ２３）。
【０１６０】
次いで、ＣＰＵ２０は、ユーザにより方向キー１１の左キーが押下されたかどうかを判定し（ステップＦ２５）、押下されたと判定した場合には（ステップＦ２５；Ｙｅｓ）、指定単語目格納領域６７３に格納されている指定単語目ｎが「１」であるかどうかを判定する（ステップＦ２７）。
【０１６１】
ステップＦ２７において、指定単語目ｎが「１」ではなかったと判定した場合には（ステップＦ２７；Ｎｏ）、ＣＰＵ２０は、指定単語目ｎの値から「１」を減算してｎを更新し（ステップＦ２９）、指定単語目格納領域６７３に格納・更新してステップＦ７に戻る。また、ステップＦ２７において、指定単語目ｎが「１」であったと判定した場合には（ステップＦ２７；Ｙｅｓ）、ステップＦ７に戻る。
【０１６２】
ステップＦ２５において、左キーが押下されなかったと判定した場合には（ステップＦ２５；Ｎｏ）、ＣＰＵ２０は、ユーザにより方向キー１１の上下キーが押下されたかどうかを判定する（ステップＦ３１）。そして、上下キーが押下されたと判定した場合には（ステップＦ３１；Ｙｅｓ）、その押下に応じて選択見出語を変更し（ステップＦ３３）、変更した選択見出語の説明情報を表示部４０に表示させる（ステップＦ３５）。また、ステップＦ３１において、上下キーが押下されなかったと判定した場合には（ステップＦ３１；Ｎｏ）、ＣＰＵ２０は、ステップＦ３７へと処理を移行する。
【０１６３】
そして、ＣＰＵ２０は、ユーザにより訳／決定キー１３が押下されたかどうかを判定し（ステップＦ３７）、押下されなかったと判定した場合には（ステップＦ３７；Ｎｏ）、ステップＦ１３へ戻り、押下されたと判定した場合には（ステップＦ３７；Ｙｅｓ）、選択見出語の説明情報を表示部４０に全画面表示させ（ステップＦ３９）、第４見出語一覧分類表示処理を終了する。
【０１６４】
次に、これまでの処理について、表示画面例を参照しつつ、具体的に説明する。
尚、以後表示画面に表示される成句見出語の一覧において、前述した通りに（）で囲まれる単語は削除可能な単語を表し、［］で囲まれる単語は直前の単語と交換可能な単語であるものとする。
【０１６５】
図２７（ａ）は、電子辞書１の表示部４０に表示され、ユーザが単語を入力するための表示画面の一例である表示画面Ｗ５０を示したものである。表示画面Ｗ５０の上部には、例文検索用と成句検索用の括弧が表示されており、ユーザはどちらか一方の検索を選択して、括弧の中に単語を入力することができる。ここでは、成句検索が選択されたことで、「成句検索」の表示がＭ５０として反転表示され、成句検索用の括弧の中には、単語「ｌｉｋｅ」がＴ５０として入力されている（図２６のステップＦ１）。また、表示画面Ｗ５０の下部には「複数辞書例文検索」のタイトルが表示されている。
【０１６６】
図２７（ｂ）は、入力単語「ｌｉｋｅ」を含む成句見出語の内、単語目が「１」の成句見出語が表示された場合の表示画面の一例である表示画面Ｗ５２を示したものである。表示画面Ｗ５０において、ユーザにより訳／決定キー１３が押下されたことで（図２６のステップＦ３；Ｙｅｓ）、表示画面Ｗ５２が表示される。表示画面Ｗ５２では、上部の「１単語目」の表示がＭ５１として反転表示され、単語目が「１」であることがユーザに一目でわかるようになっている。その下方には、単語目が「１」の成句見出語がＫ５１として一覧表示されており（図２６のステップＦ７）、その中の「ｌｉｋｅ  ａ  ｂａｄ  ｈａｌｆｐｅｎｎｙ」が選択見出語でありＭ５２として反転表示されている（図２６のステップＦ９）。また、表示画面Ｗ５２の下部には、選択見出語である「ｌｉｋｅ  ａ  ｂａｄ  ｈａｌｆｐｅｎｎｙ」の説明情報がＫ５２として表示されている（図２６のステップＦ１１）。
【０１６７】
図２７（ｃ）は、単語目が「２」の成句見出語が表示された場合の表示画面の一例である表示画面Ｗ５４を同様に示したものである。表示画面Ｗ５２において、ユーザにより方向キー１１の右キーが押下されたことで（図２６のステップＦ１３；Ｙｅｓ）、表示画面Ｗ５４が表示される。表示画面Ｗ５４では、上部の「２単語目」の表示がＭ５３として反転表示され、その下方には、単語目が「２」の成句見出語がＫ５３として一覧表示され（図２６のステップＦ７）、その中の「ａｃｔ［ｗｏｒｋ］  ｌｉｋｅ  ａ  ｃｈａｒｍ」が選択見出語でありＭ５４として反転表示されている（図２６のステップＦ９）。また、表示画面Ｗ５４の下部には、選択見出語である「ａｃｔ［ｗｏｒｋ］  ｌｉｋｅ  ａ  ｃｈａｒｍ」の説明情報がＫ５４として表示されている（図２６のステップＦ１１）。
【０１６８】
ここで、表示画面Ｗ５４にＭ５４として反転表示されている成句見出語「ａｃｔ［ｗｏｒｋ］  ｌｉｋｅ  ａ  ｃｈａｒｍ」において、「ｌｉｋｅ」は単語目「２」とも「３」とも考えられる。しかし、ｗｏｒｋは、記号文字［］で囲まれる文字であるため、［］内の単語を除いて、適切に単語目「２」として判断されている。
【０１６９】
以上の通りに、第４実施形態によれば、ユーザにより単語と単語目とが指定されることで、当該指定された単語を含む成句見出語の一覧を単語目毎に分類して表示することができる。従って、ユーザが所望の見出語に含まれる単語とその単語の見出語中の単語位置とを条件に指定することで、当該条件を具備した見出語を適切に表示させることのできる、使い勝手の良い情報表示制御装置等が実現できる。
【０１７０】
尚、第４見出語一覧分類表示処理においては、成句検索を行うことで成句見出語を検索して表示することとして説明したが、これに限られるわけではなく、例文検索を行うことで例文見出語を検索して表示することにしても勿論良い。
【０１７１】
〔第５実施形態〕
図２８〜３１を参照して、第５実施形態について説明する。
【０１７２】
まず、構成を説明する。
図２８（ａ）は、第５実施形態に係る電子辞書１が図２のフラッシュＲＯＭ５０の代わりに備えるフラッシュＲＯＭ５９の構成を示す図である。フラッシュＲＯＭ５９は、ＣＰＵ２０によって読み出され、第５見出語一覧分類表示処理（図３０参照）として実行される第５見出語一覧分類表示プログラム５９１と、辞書ＤＢ５７３とを格納している。尚、辞書ＤＢ５７３については、第４実施形態と同様であるので説明を省略する。
【０１７３】
第５見出語一覧分類表示処理とは、ユーザにより単語とその単語の成句見出語中での単語位置を示す単語目とが指定された場合に、当該単語を当該単語目に含む成句見出語を辞書毎に検索して表示することで、指定された単語を含む成句見出語を辞書毎且つ単語目毎に分類して表示する処理である。尚、単語目の指定は、入力画面においてユーザにより単語目となる数値が入力されることで行われる。この第５見出語一覧分類表示処理については詳細に後述する。
【０１７４】
図２８（ｂ）は、第５実施形態に係る電子辞書１が図２のＲＡＭ６０の代わりに備えるＲＡＭ６９の構成を示す図である。ＲＡＭ６９は、入力単語格納領域６７１と、指定単語目格納領域６７３と、指定辞書種別格納領域６９１とを備えている。尚、入力単語格納領域６７１及び指定単語目格納領域６７３については、第４実施形態と同様であるので説明を省略する。
【０１７５】
指定辞書種別格納領域６９１は、ユーザにより指定される辞書の種類（以下、「指定辞書種別」と呼ぶ。）を格納するための領域であり、図２９においては、例えば指定辞書種別が「英和Ａ辞典」として格納される。
【０１７６】
次に動作を説明する。
図３０は、ＣＰＵ２０により第５見出語一覧分類表示プログラム５９１が読み出されて実行されることにより電子辞書１において実行される第５見出語一覧分類表示処理の流れを示すフローチャートである。
【０１７７】
先ず、ＣＰＵ２０は、初期設定として指定辞書種別に英和Ａ辞典を設定し（ステップＧ１）、指定辞書種別格納領域６９１に格納する。そして、ユーザにより単語の入力が入力部３０を介してなされると（ステップＧ３）、ＣＰＵ２０は、入力単語を入力単語格納領域６７１に格納する。
【０１７８】
次いで、ユーザにより単語目の入力が入力部３０を介してなされると（ステップＧ５）、ＣＰＵ２０は、入力された単語目を指定単語目として指定単語目格納領域６７３に格納する。そして、ユーザにより訳／決定キー１３が押下されると（ステップＧ７）、ＣＰＵ２０は、入力単語を指定単語目に含む成句見出語を、指定辞書種別格納領域６９１に格納されている指定辞書種別用の成句ＤＢ（「指定辞書成句ＤＢ」と呼ぶ。）から読み出して、表示部４０に一覧表示させる（ステップＧ９）。
【０１７９】
そして、ＣＰＵ２０は、一覧表示させた成句見出語の内、一の成句見出語を選択見出語として反転表示させ(ステップＧ１１)、その選択見出語の説明情報を表示部４０に表示させる（ステップＧ１３）。
【０１８０】
次いで、ＣＰＵ２０は、ユーザにより方向キー１１の右キーが押下されたかどうかを判定し（ステップＧ１５）、押下されたと判定した場合には（ステップＧ１５；Ｙｅｓ）、指定辞書種別格納領域６９１に格納されている指定辞書種別が英和Ａ辞典であるかどうかを判定する（ステップＧ１７）。
【０１８１】
ステップＧ１７において、指定辞書種別が英和Ａ辞典であったと判定した場合には（ステップＧ１７；Ｙｅｓ）、ＣＰＵ２０は、指定辞書種別を英和Ｂ辞典に設定し（ステップＧ１９）、指定辞書種別格納領域６９１に格納・更新して、ステップＧ９に戻る。また、ステップＧ１７において、指定辞書種別が英和Ａ辞典ではなかったと判定した場合には（ステップＧ１７；Ｎｏ）、ＣＰＵ２０は、指定辞書種別を英英辞典に設定し（ステップＧ２１）、指定辞書種別格納領域６９１に格納・更新して、ステップＧ９に戻る。
【０１８２】
ステップＧ１５において、右キーが押下されなかったと判定した場合には（ステップＧ１５；Ｎｏ）、ＣＰＵ２０は、ユーザにより方向キー１１の左キーが押下されたかどうかを判定し（ステップＧ２３）、押下されたと判定した場合には（ステップＧ２３；Ｙｅｓ）、指定辞書種別格納領域６９１に格納されている指定辞書種別が英英辞典であるかどうかを判定する（ステップＧ２５）。
【０１８３】
ステップＧ２５において、指定辞書種別が英英辞典であったと判定した場合には（ステップＧ２５；Ｙｅｓ）、ＣＰＵ２０は、指定辞書種別を英和Ｂ辞典に設定し（ステップＧ２７）、指定辞書種別格納領域６９１に格納・更新して、ステップＧ９に戻る。また、ステップＧ２５において、指定辞書種別が英英辞典ではなかったと判定した場合には（ステップＧ２５；Ｎｏ）、ＣＰＵ２０は、指定辞書種別を英和Ａ辞典に設定し（ステップＧ２９）、指定辞書種別格納領域６９１に格納・更新して、ステップＧ９に戻る。
【０１８４】
また、ステップＧ２３において、左キーが押下されなかったと判定した場合には（ステップＧ２３；Ｎｏ）、ＣＰＵ２０は、ユーザにより方向キー１１の上下キーが押下されたかどうかを判定する（ステップＧ３１）。そして、上下キーが押下されたと判定した場合には（ステップＧ３１；Ｙｅｓ）、その押下に応じて選択見出語を変更し（ステップＧ３３）、変更した選択見出語の説明情報を表示部４０に表示させる（ステップＧ３５）。また、ステップＧ３１において、上下キーが押下されなかったと判定した場合には（ステップＧ３１；Ｎｏ）、ＣＰＵ２０は、ステップＧ３７へと処理を移行する。
【０１８５】
そして、ＣＰＵ２０は、ユーザにより訳／決定キー１３が押下されたかどうかを判定し（ステップＧ３７）、押下されなかったと判定した場合には（ステップＧ３７；Ｎｏ）、ステップＧ１５へ戻り、押下されたと判定した場合には（ステップＧ３７；Ｙｅｓ）、選択見出語の説明情報を表示部４０に全画面表示させ（ステップＧ３９）、第５見出語一覧分類表示処理を終了する。
【０１８６】
次に、これまでの処理について、表示画面例を参照しつつ、具体的に説明する。
図３１（ａ）は、電子辞書１の表示部４０に表示され、ユーザが単語と単語目を入力するための表示画面の一例である表示画面Ｗ６０を示したものである。表示画面Ｗ６０の上部には、例文検索用と成句検索用の括弧が表示されており、ユーザはどちらか一方の検索を選択して、括弧の中に単語を入力することができる。また、その下方には、単語目を入力するための括弧が表示されており、ユーザは括弧内に単語目として数値を入力することができる。ここでは、成句検索が選択されたことで、「成句検索」の表示がＭ６０として反転表示され、成句検索用の括弧の中には、単語「ｌｉｋｅ」がＴ６０として入力されている（図３０のステップＧ３）。また、単語目として、括弧の中に「２」がＴ６２として入力されている（図３０のステップＧ５）。
【０１８７】
図３１（ｂ）は、入力単語「ｌｉｋｅ」を含む成句見出語の内、単語目が「２」で、英和Ａ辞典に登録されている成句見出語が表示された場合の表示画面の一例である表示画面Ｗ６２を示したものである。表示画面Ｗ６０において、ユーザにより訳／決定キー１３が押下されたことで（図３０のステップＧ７；Ｙｅｓ）、表示画面Ｗ６２が表示される。表示画面Ｗ６２では、上部の「英和Ａ」の表示がＭ６１として反転表示され、指定辞書種別が英和Ａ辞典であることがユーザに一目でわかるようになっている。その下方には、単語目が「２」の成句見出語がＫ６１として一覧表示されており（図３０のステップＧ９）、その中の「ａｇｒｅｅ  ｌｉｋｅ  ｃａｔｓ  ａｎｄ  ｄｏｇｓ」が選択見出語でありＭ６２として反転表示されている（図３０のステップＧ１１）。また、表示画面Ｗ６２の下部には、選択見出語である「ａｇｒｅｅ  ｌｉｋｅ  ｃａｔｓ  ａｎｄ  ｄｏｇｓ」の説明情報がＫ６２として表示されている（図３０のステップＧ１３）。
【０１８８】
図３１（ｃ）は、入力単語「ｌｉｋｅ」を含む成句見出語の内、単語目が「２」で、英和Ｂ辞典に登録されている成句見出語が表示された場合の表示画面の一例である表示画面Ｗ６４を示したものである。表示画面Ｗ６２において、ユーザにより方向キー１１の右キーが押下されたことで（図３０のステップＧ１５；Ｙｅｓ）、表示画面Ｗ６４が表示される。表示画面Ｗ６４では、上部の「英和Ｂ」の表示がＭ６３として反転表示され、その下方には、単語目が「２」の成句見出語がＫ６３として一覧表示されており（図３０のステップＧ１９又はＧ２７→Ｇ９）、その中の「ａｃｔ［ｗｏｒｋ］  ｌｉｋｅ  ａ  ｃｈａｒｍ」が選択見出語でありＭ６４として反転表示されている（図３０のステップＧ１１）。また、表示画面Ｗ６４の下部には、選択見出語である「ａｃｔ［ｗｏｒｋ］  ｌｉｋｅ  ａ  ｃｈａｒｍ」の説明情報がＫ６４として表示されている（図３０のステップＧ１３）。
【０１８９】
以上の通りに、第５実施形態によれば、ユーザにより単語と単語目とが指定されることで、当該指定された単語を含む成句見出語の一覧を辞書毎且つ単語目毎に分類して表示することができる。
【０１９０】
尚、第５見出語一覧分類表示処理においては、成句検索を行うことで成句見出語を検索して表示することとして説明したが、これに限られるわけではなく、例文検索を行うことで例文見出語を検索して表示することにしても勿論良い。
【０１９１】
〔変形例〕
（１）複数辞書漢字検索の変形例
以上、５つの実施形態について説明したが、第１〜第３実施形態で説明した複数辞書漢字検索の変形例として、読みの入力ではなく、漢字部品読み機能による部品読みの入力を用いた検索手法や、総画数等の既知の情報を用いた検索手法について説明する。漢字部品読み機能とは、調べたい見出語漢字の読み方がわからない場合に、その見出語漢字を構成する一部分（部品）の読みや部首等を入力することで見出語漢字を検索する機能のことである。また、見出語漢字の総画数等の情報が既知である場合、これら既知の情報を用いて更なる絞込み検索を行うことが可能である。今、漢字部品読み機能を用いて、見出語漢字「阿」を検索する場合について考える。
【０１９２】
図３２（ａ）は、漢字部品読み機能を利用して、ユーザにより部品読みが入力された場合の表示画面の一例である表示画面Ｗ７０を示したものである。表示画面Ｗ７０では、上部の「部品読み」がＭ７０として反転表示され、そのすぐ下方に部品読みを入力するための括弧が表示されている。ここでは、部品読みとして「こざとへん」と「くち」と「ちょう」とが括弧の中にそれぞれＴ７０、Ｔ７１、Ｔ７２として入力されている。また、その右方には、部首画数、総画数及び音訓読みを入力するための括弧が表示されており、既知の情報を入力することで絞込み検索を行うことが可能である。
【０１９３】
図３２（ｂ）は、部品読みが入力されたことにより候補漢字の一覧が表示され、一の候補漢字が選択漢字として選択された場合の表示画面の一例である表示画面Ｗ７２を示したものである。表示画面Ｗ７０において、ユーザにより訳／決定キー１３が押下されたことで、表示画面Ｗ７２が表示される。表示画面Ｗ７２では、入力された部品読みを含む漢字１文字の見出語３つが、候補漢字Ｋ７２として表示されており、ここでは「阿」が選択漢字として選択され、Ｍ７２として反転表示されている。
【０１９４】
次に、総画数が既知であるものとして更なる絞込み検索を行う。
図３２（ｃ）は、部品読みに加えて総画数が入力されたことにより候補漢字の一覧が表示され、一の候補漢字が選択漢字として選択された場合の表示画面の一例である表示画面Ｗ７４を示したものである。表示画面Ｗ７２において、ユーザにより訳／決定キー１３が押下されたことで、表示画面Ｗ７４が表示される。表示画面Ｗ７４では、部分読みに加えて総画数「８」がＴ７４として入力されており、部品読みを含み総画数が８画である漢字１文字の見出語が、候補漢字Ｋ７４として表示されている。ここでは、候補漢字が「阿」の１つだけであり、これが自動的に選択漢字として選択され、Ｍ７４として反転表示されている。
【０１９５】
このように、漢字部品読み機能や総画数等の既知の情報を用いることにより、読み方のわからない見出語漢字を容易に検索することができる。
【０１９６】
（２）情報表示制御装置の変形例
上述した実施形態では、電子辞典、電子事典などを含む電子辞書を適用例として説明したが、本発明の情報表示制御装置は、このような製品に限定されるものではなく、携帯電話、パソコン、電子時計、ＰＤＡ（Personal Digital Assistants）などの電子機器全般に適用可能である。
【０１９７】
（３）電子辞書システム
上述した実施形態では電子辞書１を、単体で動作する所謂スタンドアローン型の装置として説明した。しかし、本発明が適用可能な装置はこれに限られるものではなく、通信装置を内蔵或いは接続可能に構成し、サーバと通信することによって本発明に係る装置を実現することも可能である。以下、図面を参照して具体的に説明する。
【０１９８】
図３３は、通信装置を内蔵した電子辞書端末６００と、サーバ７００とが通信回線Ｎを介して通信可能に接続されたシステム構成の概略図を示す図である。サーバ７００は、例えば汎用のワークステーションやサーバ用コンピュータ等によって構成されるものであり、電子辞書端末６００は、携帯電話機や、通信装置を内蔵したパソコン、通信装置を内蔵した電子辞書等により構成されるものである。通信回線Ｎは、有線／無線の電話網やインターネット網等である。
【０１９９】
図３３において、上述した実施形態の電子辞書１の主要機能を有する機能ブロックを太線で示した。電子辞書１のＣＰＵ２０が実行する第１見出語一覧分類表示処理やリスト順設定処理等はサーバ７００のＣＰＵ７０２が実行する。また電子辞書１のフラッシュＲＯＭ５０が記憶する第１見出語一覧分類表示プログラム等はサーバ７００の、ハードディスク等から構成される記憶部７１４が記憶する。また、第１見出語一覧分類表示処理やリスト順設定処理等の実行に伴うデータはサーバ７００のＲＡＭ７１２が記憶する。
【０２００】
一方、電子辞書１の入力部３０及び表示部４０はそれぞれ、電子辞書端末６００の入力部６０４及び表示部６０６に相当する。
【０２０１】
すなわち、サーバ７００がホスト（或いはサーバ）、電子辞書端末６００が端末（或いはクライアント）に相当するホスト・端末のシステム（或いはクライアント／サーバ型のシステム）を形成する。そして、電子辞書端末６００の入力部６０４から入力された入力文字等が通信装置６０８を介してサーバ７００に送信され、サーバ７００のＣＰＵ７０２が記憶部７１４に記憶された各種データ及び各種プログラムに従って第１見出語一覧分類表示処理やリスト順設定処理等を実行し、処理結果を通信装置６０８を通じて電子辞書端末６００に送信して表示部６０６に表示させる。このように、サーバ７００及び電子辞書端末６００から構成されるシステムで、本発明を実現することも可能である。この場合、電子辞書端末６００においては、第１見出語一覧分類表示プログラム等を記憶しておく必要がなく、また第１見出語一覧分類表示処理やリスト順設定処理等を実行する必要もない。このため、演算処理能力が比較的低いＣＰＵ６０２や、記憶容量等が比較的小さいＲＯＭ６１０等を具備する電子辞書端末６００（例えば携帯電話）であってもよい。
【図面の簡単な説明】
【０２０２】
【図１】（ａ）本実施形態の電子辞書の概観図。（ｂ）電子辞書のキー配列の一例を示す図。
【図２】本実施形態の電子辞書の内部構成を示すブロック図。
【図３】（ａ）第１実施形態におけるフラッシュＲＯＭのデータ構成を示す図。（ｂ）第１実施形態におけるＲＡＭのデータ構成を示す図。
【図４】（ａ）漢和辞典ＤＢのデータ構成を示す図。（ｂ）国語辞典ＤＢのデータ構成を示す図。
【図５】（ａ）昇順見出語データテーブルの構成を示す図。（ｂ）降順見出語データテーブルの構成を示す図。（ｃ）読み順見出語データテーブルの構成を示す図。
【図６】（ａ）選択漢字格納領域を示す図。（ｂ）指定文字目格納領域を示す図。（ｃ）指定リスト順格納領域を示す図。
【図７】第１見出語一覧分類表示処理の流れを示すフローチャート。
【図８】リスト順設定処理の流れを示すフローチャート。
【図９】（ａ）読みを入力するための表示画面の一例を示す図。（ｂ）候補漢字の一覧が表示され、一の候補漢字が選択漢字として選択された場合の表示画面の一例を示す図。
【図１０】（ａ）選択漢字「阿」を見出語漢字とし、文字目が「１」の見出語が表示された場合の表示画面の一例を示す図。（ｂ）選択漢字「阿」を見出語漢字とし、文字目が「２」の見出語が表示された場合の表示画面の一例を示す図。（ｃ）選択漢字「阿」を見出語漢字とし、文字目が「３」の見出語が表示された場合の表示画面の一例を示す図。
【図１１】（ａ）候補漢字の一覧が表示され、一の候補漢字が選択漢字として選択された場合の表示画面の一例を示す図。（ｂ）選択漢字「亜」を見出語漢字とし、文字目が「１」の見出語が表示された場合の表示画面の一例を示す図。（ｃ）リスト順の選択がなされた場合の表示画面の一例を示す図。
【図１２】（ａ）昇順に見出語が一覧表示された場合の表示画面の一例を示す図。（ｂ）降順に見出語が一覧表示された場合の表示画面の一例を示す図。（ｃ）読み順に見出語が一覧表示された場合の表示画面の一例を示す図。
【図１３】（ａ）第２実施形態におけるフラッシュＲＯＭのデータ構成を示す図。（ｂ）第２実施形態におけるＲＡＭのデータ構成を示す図。
【図１４】（ａ）ジャンプ文字格納領域を示す図。（ｂ）ジャンプ先辞書種別格納領域を示す図。
【図１５】第２見出語一覧分類表示処理の流れを示すフローチャート。
【図１６】（ａ）辞書引き処理によって見出語の説明情報が表示された場合の表示画面の一例を示す図。（ｂ）ジャンプ先辞書選択画面が表示された場合の表示画面の一例を示す図。（ｃ）ジャンプ文字「阿」を見出語漢字とし、文字目が「１」の見出語が表示された場合の表示画面の一例を示す図。
【図１７】（ａ）第３実施形態におけるフラッシュＲＯＭのデータ構成を示す図。（ｂ）第３実施形態におけるＲＡＭのデータ構成を示す図。
【図１８】（ａ）絞込み文字目格納領域を示す図。（ｂ）指定辞書種別格納領域を示す図。
【図１９】第３見出語一覧分類表示処理の流れを示すフローチャート。
【図２０】絞込み検索表示処理の流れを示すフローチャート。
【図２１】（ａ）候補漢字の一覧が表示され、一の候補漢字が選択漢字として選択された場合の表示画面の一例を示す図。（ｂ）選択漢字「熙」を見出語漢字とする見出語の内、漢和辞典ＤＢ５１３ａに登録されている見出語が表示された場合の表示画面の一例を示す図。（ｃ）選択漢字「熙」を見出語漢字とする見出語の内、国語辞典ＤＢ５１３ｂに登録されている見出語が表示された場合の表示画面の一例を示す図。
【図２２】（ａ）絞込み検索画面が表示された場合の表示画面の一例を示す図。（ｂ）選択漢字「熙」を見出語漢字とする見出語の内、漢和辞典ＤＢ５１３ａに登録されており、「熙」を２文字目に含む見出語が表示された場合の表示画面の一例を示す図。
【図２３】（ａ）第４実施形態におけるフラッシュＲＯＭのデータ構成を示す図。（ｂ）第４実施形態におけるＲＡＭのデータ構成を示す図。
【図２４】英和Ａ辞典用成句ＤＢのデータ構成を示す図。
【図２５】（ａ）入力単語格納領域を示す図。（ｂ）指定単語目格納領域を示す図。
【図２６】第４見出語一覧分類表示処理の流れを示すフローチャート。
【図２７】（ａ）単語を入力するための表示画面の一例を示す図。（ｂ）入力単語「ｌｉｋｅ」を含む成句見出語の内、単語目が「１」の成句見出語が表示された場合の表示画面の一例を示す図。（ｃ）入力単語「ｌｉｋｅ」を含む成句見出語の内、単語目が「２」の成句見出語が表示された場合の表示画面の一例を示す図。
【図２８】（ａ）第５実施形態におけるフラッシュＲＯＭのデータ構成を示す図。（ｂ）第５実施形態におけるＲＡＭのデータ構成を示す図。
【図２９】指定辞書種別格納領域を示す図。
【図３０】第５見出語一覧分類表示処理の流れを示すフローチャート。
【図３１】（ａ）単語と単語目を入力するための表示画面の一例を示す図。（ｂ）入力単語「ｌｉｋｅ」を含む成句見出語の内、単語目が「２」で、英和Ａ辞典に登録されている成句見出語が表示された場合の表示画面の一例を示す図。（ｃ）入力単語「ｌｉｋｅ」を含む成句見出語の内、単語目が「２」で、英和Ｂ辞典に登録されている成句見出語が表示された場合の表示画面の一例を示す図。
【図３２】（ａ）部品読み機能を利用して、部品読みを入力する場合の表示画面の一例を示す図。（ｂ）部品読みの入力により候補漢字の一覧が表示され、一の候補漢字が選択漢字として選択された場合の表示画面の一例を示す図。（ｃ）部品読みに加えて総画数を入力することにより候補漢字の一覧が表示され、一の候補漢字が選択漢字として選択された場合の表示画面の一例を示す図。
【図３３】変形例におけるブロック図の一例を示す図。
【符号の説明】
【０２０３】
１            電子辞書
３            キー群
４            ディスプレイ
５            電源キー
７            辞書種別キー
９            文字入力キー
１１          方向キー
１３          訳／決定キー
１５          戻るキー
１７          機能選択キー
２０          ＣＰＵ
３０          入力部
４０          表示部
５０          フラッシュＲＯＭ
６０          ＲＡＭ
７０          バス
【図１】
2006099677.tif 000003
【図２】
2006099677.tif 000004
【図３】
2006099677.tif 000005
【図４】
2006099677.tif 000006
【図５】
2006099677.tif 000007
【図６】
2006099677.tif 000008
【図７】
2006099677.tif 000009
【図８】
2006099677.tif 000010
【図９】
2006099677.tif 000011
【図１０】
2006099677.tif 000012
【図１１】
2006099677.tif 000013
【図１２】
2006099677.tif 000014
【図１３】
2006099677.tif 000015
【図１４】
2006099677.tif 000016
【図１５】
2006099677.tif 000017
【図１６】
2006099677.tif 000018
【図１７】
2006099677.tif 000019
【図１８】
2006099677.tif 000020
【図１９】
2006099677.tif 000021
【図２０】
2006099677.tif 000022
【図２１】
2006099677.tif 000023
【図２２】
2006099677.tif 000024
【図２３】
2006099677.tif 000025
【図２４】
2006099677.tif 000026
【図２５】
2006099677.tif 000027
【図２６】
2006099677.tif 000028
【図２７】
2006099677.tif 000029
【図２８】
2006099677.tif 000030
【図２９】
2006099677.tif 000031
【図３０】
2006099677.tif 000032
【図３１】
2006099677.tif 000033
【図３２】
2006099677.tif 000034
【図３３】
2006099677.tif 000035